(57)【要約】  ワイヤレス通信のための方法、装置、およびコンピュータ可読媒体が提供される。例示的な実施形態では、本装置は、第１のユーザ機器（ＵＥ）のＵｕプロトコルスタックにおいてパケットを受信することができ、パケットは基地局に向けられる。さらに、本装置は、パケットを第１のＵＥのＵｕプロトコルスタックから第１のＵＥのＰＣ５インターフェースプロトコルスタックに転送することができる。さらに、本装置は、パケットを第１のＵＥからの基地局に向けられた中継アップリンクトラフィックとして識別するために、ＰＣ５インターフェースプロトコルスタックにおいてパケットのヘッダを変更することができる。その上、本装置は、基地局に中継するために、変更されたヘッダを含むパケットを第２のＵＥに送信することができる。
2018534854.tif 000002
【特許請求の範囲】
【請求項１】
ワイヤレス通信の方法であって、
第１のユーザ機器（ＵＥ）のＵｕプロトコルスタックにおいてパケットを受信することと、前記パケットは基地局に向けられ、
前記パケットを前記第１のＵＥの前記Ｕｕプロトコルスタックから前記第１のＵＥのＰＣ５インターフェースプロトコルスタックに転送することと、
前記パケットを前記第１のＵＥからの前記基地局に向けられた中継アップリンクトラフィックとして識別するために、前記ＰＣ５インターフェースプロトコルスタックにおいて前記パケットのヘッダを変更することと、
前記基地局に中継するために、前記変更されたヘッダを含む前記パケットを第２のＵＥに送信することと
を備える、方法。
【請求項２】
前記第２のＵＥに、前記基地局に向けられた発見メッセージを送信することと、前記発見メッセージは、アタッチ要求のインジケーションと、前記第１のＵＥに関連する国際モバイル加入者識別情報（ＩＭＳＩ）、前記第１のＵＥを、前記第２のＵＥを介して前記基地局と通信する他のＵＥと区別する値、セルＩＤ、または前記第１のＵＥのレイヤ２識別情報（Ｌ２−ＩＤ）のうちの少なくとも１つとを含み、
前記基地局から無線リソース制御（ＲＲＣ）接続セットアップメッセージに関連する応答を受信することと、前記応答メッセージは、前記第１のＵＥと前記第２のＵＥとの間のリレーリンクに関連するセル無線一時識別子（Ｃ−ＲＮＴＩ）またはレイヤ２識別情報（Ｌ２−ＩＤ）のうちの少なくとも１つを含み、
をさらに備える、請求項１に記載の方法。
【請求項３】
前記第２のＵＥに、前記基地局に向けられた非アクセス層（ＮＡＳ）アタッチ要求を送信することと、
前記基地局からＮＡＳ認証要求を受信することと
をさらに備える、請求項１に記載の方法。
【請求項４】
前記第２のＵＥに、前記基地局に向けられたＮＡＳ認証応答を送信することと、
前記基地局からセキュリティモードコマンドを受信することと
をさらに備える、請求項３に記載の方法。
【請求項５】
前記第２のＵＥに、前記基地局に向けられたセキュリティモード完了メッセージを送信することと、
前記基地局からシステムアーキテクチャエボリューション（ＳＡＥ）一時モバイル加入者識別情報（Ｓ−ＴＭＳＩ）を受信することと
をさらに備える、請求項４に記載の方法。
【請求項６】
パケットの前記ヘッダを前記変更することは、前記Ｓ−ＴＭＳＩを含むように前記パケットの前記ヘッダを変更することを備える、請求項５に記載の方法。
【請求項７】
ワイヤレス通信の方法であって、
第２のユーザ機器（ＵＥ）から第１のＵＥのＰＣ５インターフェースプロトコルスタックにおいて第１のパケットを受信することと、前記第１のパケットは、前記第１のパケットを前記第２のＵＥからの基地局に向けられた中継アップリンクトラフィックとして識別するヘッダを含み、
前記第１のＵＥのＵｕプロトコルスタックにおいて第２のパケットを受信することと、前記第２のパケットは前記第１のＵＥから前記基地局に向けられ、
前記第１のパケットを前記第１のＵＥの前記ＰＣ５インターフェースプロトコルスタックから前記第１のＵＥの前記Ｕｕプロトコルスタックに転送することと、
組み合わせられたパケットを作るために前記第１のパケットと前記第２のパケットとを組み合わせることと、
前記第１のパケットを前記第２のＵＥからの中継アップリンクトラフィックとして識別し、前記第２のパケットを前記第１のＵＥからのローカルデータとして識別するために、前記Ｕｕプロトコルスタックにおいて、前記組み合わせられたパケットのヘッダを変更することと、
前記変更されたヘッダを含む前記組み合わせられたパケットを前記基地局に送信することと
を備える、方法。
【請求項８】
前記変更されたヘッダが、
前記第１のＵＥに関連するレイヤ２識別情報（Ｌ２−ＩＤ）テーブルのインデックスと、
前記第２のＵＥに関連するシステムアーキテクチャエボリューション（ＳＡＥ）一時モバイル加入者識別情報（Ｓ−ＴＭＳＩ）テーブルのインデックスと
を含む、請求項７に記載の方法。
【請求項９】
前記第２のＵＥから、前記基地局に向けられた発見メッセージを受信することと、前記発見メッセージは、アタッチ要求インジケーションと、前記第２のＵＥに関連する国際モバイル加入者識別情報（ＩＭＳＩ）、または前記第２のＵＥを、前記第１のＵＥを介して前記基地局と通信する他のＵＥと区別する値のうちの少なくとも１つとを含み、
前記発見メッセージを前記基地局に送信することと
をさらに備える、請求項７に記載の方法。
【請求項１０】
前記第２のＵＥから、前記基地局に向けられた非アクセス層（ＮＡＳ）アタッチ要求を受信することと、
前記ＮＡＳアタッチ要求を前記基地局に送信することと
をさらに備える、請求項９に記載の方法。
【請求項１１】
前記第２のＵＥから、前記基地局に向けられたＮＡＳ認証応答を受信することと、
前記ＮＡＳ認証応答を前記基地局に送信することと
をさらに備える、請求項１０に記載の方法。
【請求項１２】
前記第２のＵＥから、前記基地局に向けられたセキュリティモード完了メッセージを受信することと、
前記セキュリティモード完了メッセージを前記基地局に送信することと
をさらに備える、請求項１１に記載の方法。
【請求項１３】
基地局によるワイヤレス通信の方法であって、
第１のＵＥからデータ送信を受信することと、前記データ送信は、前記第１のＵＥに関連する第１のパケットと、第２のＵＥからの第２のパケットと、前記第１のＵＥに関連するレイヤ２識別情報（Ｌ２−ＩＤ）テーブルの第１のインデックスと、前記第２のＵＥに関連するシステムアーキテクチャエボリューション（ＳＡＥ）一時モバイル加入者識別情報（Ｓ−ＴＭＳＩ）テーブルの第２のインデックスとを含む、組み合わせられたパケットを含み、
セル比一時識別子（Ｃ−ＲＮＴＩ）マッピングのために前記Ｌ２−ＩＤテーブルの前記第１のインデックスを使用して前記第１のパケットを復号することと、
Ｃ−ＲＮＴＩマッピングのために前記Ｓ−ＴＭＳＩテーブルの前記第２のインデックスを使用して前記第２のパケットを復号することと
を備える、方法。
【請求項１４】
１つまたは複数の第１のダウンリンク送信を前記第１のＵＥの前記Ｕｕプロトコルスタックに送信することと、
１つまたは複数の第２のダウンリンク送信を前記第２のＵＥのＵｕプロトコルスタックに送信することと
をさらに備える、請求項１３に記載の方法。
【請求項１５】
前記第１のＵＥを介して前記第２のＵＥから発見メッセージを受信することと、前記発見メッセージは、アタッチ要求と、前記第２のＵＥに関連する国際モバイル加入者識別情報（ＩＭＳＩ）、または前記第２のＵＥを、前記第１のＵＥを介して前記基地局と通信する他のＵＥと区別する値のうちの少なくとも１つとを含み、
無線リソース制御（ＲＲＣ）接続セットアップメッセージを前記第２のＵＥに送信することと、前記ＲＲＣ接続セットアップメッセージは、前記第１のＵＥと前記第２のＵＥとの間のリレーリンクに関連するレイヤ２識別情報（Ｌ２−ＩＤ）またはセル比一時識別子（Ｃ−ＲＮＴＩ）のうちの少なくとも１つを含み、
をさらに備える、請求項１３に記載の方法。
【請求項１６】
前記第１のＵＥを介して前記第２のＵＥから非アクセス層（ＮＡＳ）アタッチ要求を受信することと、
ＮＡＳ認証要求を前記第２のＵＥに送信することと
をさらに備える、請求項１５に記載の方法。
【請求項１７】
前記第１のＵＥを介して前記第２のＵＥからＮＡＳ認証応答を受信することと、
セキュリティモードコマンドを前記第２のＵＥに送信することと
をさらに備える、請求項１６に記載の方法。
【請求項１８】
前記第１のＵＥを介して前記第２のＵＥからセキュリティモード完了メッセージを受信することと、
システムアーキテクチャエボリューション（ＳＡＥ）一時モバイル加入者識別情報（Ｓ−ＴＭＳＩ）を前記第２のＵＥに送信することと
をさらに備える、請求項１７に記載の方法。
【請求項１９】
ワイヤレス通信のための装置であって、
第１のユーザ機器（ＵＥ）のＵｕプロトコルスタックにおいてパケットを受信するための手段と、前記パケットは基地局に向けられ、
前記パケットを前記第１のＵＥの前記Ｕｕプロトコルスタックから前記第１のＵＥのＰＣ５インターフェースプロトコルスタックに転送するための手段と、
前記パケットを前記第１のＵＥからの前記基地局に向けられた中継アップリンクトラフィックとして識別するために、前記ＰＣ５インターフェースプロトコルスタックにおいて前記パケットのヘッダを変更するための手段と、
前記基地局に中継するために、前記変更されたヘッダを含む前記パケットを第２のＵＥに送信するための手段と
を備える、装置。
【請求項２０】
前記第２のＵＥに、前記基地局に向けられた発見メッセージを送信するための手段と、前記発見メッセージは、アタッチ要求のインジケーションと、前記第１のＵＥに関連する国際モバイル加入者識別情報（ＩＭＳＩ）、前記第１のＵＥを、前記第２のＵＥを介して前記基地局と通信する他のＵＥと区別する値、セルＩＤ、または前記第１のＵＥのレイヤ２識別情報（Ｌ２−ＩＤ）のうちの少なくとも１つとを含み、
前記基地局から無線リソース制御（ＲＲＣ）接続セットアップメッセージに関連する応答を受信するための手段と、前記応答メッセージは、前記第１のＵＥと前記第２のＵＥとの間のリレーリンクに関連するセル無線一時識別子（Ｃ−ＲＮＴＩ）またはレイヤ２識別情報（Ｌ２−ＩＤ）のうちの少なくとも１つを含み、
をさらに備える、請求項１９に記載の装置。
【請求項２１】
前記第２のＵＥに、前記基地局に向けられた非アクセス層（ＮＡＳ）アタッチ要求を送信するための手段と、
前記基地局からＮＡＳ認証要求を受信するための手段と
をさらに備える、請求項１９に記載の装置。
【請求項２２】
前記第２のＵＥに、前記基地局に向けられたＮＡＳ認証応答を送信するための手段と、
前記基地局からセキュリティモードコマンドを受信するための手段と
をさらに備える、請求項２１に記載の装置。
【請求項２３】
前記第２のＵＥに、前記基地局に向けられたセキュリティモード完了メッセージを送信するための手段と、
前記基地局からシステムアーキテクチャエボリューション（ＳＡＥ）一時モバイル加入者識別情報（Ｓ−ＴＭＳＩ）を受信するための手段と
をさらに備える、請求項２２に記載の装置。
【請求項２４】
パケットの前記ヘッダを変更するための前記手段が、前記Ｓ−ＴＭＳＩを含むように前記パケットの前記ヘッダを変更するように構成される、請求項２３に記載の装置。
【発明の詳細な説明】
【関連出願の相互参照】
【０００１】
[0001]本出願は、その全体が参照により本明細書に明確に組み込まれる、２０１５年１０月１６日に出願された「Device-to-Device Based Mechanism for Evolved Machine Type Communication」と題する米国仮出願第６２／２４２，８４６号、および２０１６年８月３１日に出願された「SYSTEM AND METHOD FOR DEVICE-TO-DEVICE COMMUNICATION WITH EVOLVED MACHINE TYPE COMMUNICATION」と題する米国特許出願第１５／２５３，７０１号の利益を主張する。
【背景技術】
【０００２】
分野
[0002]本開示は、一般に通信システムに関し、より詳細には、発展型マシンタイプ通信（ｅＭＴＣ：evolved machine type communication）のためのデバイスツーデバイス（Ｄ２Ｄ）機構に関する。
【０００３】
背景技術
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【発明の概要】
【０００５】
[0005]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００６】
[0006]本開示の一態様では、方法、コンピュータ可読媒体、および装置が提供される。例示的な実施形態では、本装置は、第１のユーザ機器（ＵＥ）のＵｕプロトコルスタックにおいてパケットを受信することができ、パケットは基地局に向けられる。さらに、本装置は、パケットを第１のＵＥのＵｕプロトコルスタックから第１のＵＥのＰＣ５インターフェースプロトコルスタックに転送することができる。さらに、本装置は、パケットを第１のＵＥからの基地局に向けられた中継アップリンクトラフィックとして識別するために、ＰＣ５インターフェースプロトコルスタックにおいてパケットのヘッダを変更することができる。その上、本装置は、基地局に中継するために、変更されたヘッダを含むパケットを第２のＵＥに送信することができる。
【０００７】
[0007]別の例示的な実施形態では、本装置は、第２のユーザ機器（ＵＥ）から第１のＵＥのＰＣ５インターフェースプロトコルスタックにおいて第１のパケットを受信することができ、第１のパケットは、パケットを第２のＵＥからの基地局に向けられた中継アップリンクトラフィックとして識別するヘッダを含む。さらに、本装置は、第１のＵＥのＵｕプロトコルスタックにおいて第２のパケットをことができ、第２のパケットは第１のＵＥから基地局に向けられる。さらに、本装置は、第１のパケットを第１のＵＥのＰＣ５インターフェースプロトコルスタックから第１のＵＥのＵｕプロトコルスタックに転送することができる。その上、本装置は、組み合わせられたパケットを作るために第１のパケットと第２のパケットとを組み合わせることができる。さらに、本装置は、第１のパケットを第２のＵＥからの中継アップリンクトラフィックとして識別し、第２のパケットを第１のＵＥからのローカルデータ識別するために、Ｕｕプロトコルスタックにおいて、組み合わせられたパケットのヘッダを変更することができる。またさらに、本装置は、変更されたヘッダを含む組み合わせられたパケットを基地局に転送することができる。
【０００８】
[0008]さらなる例示的な実施形態では、本装置は、第１のＵＥからデータ送信を受信することができ、データ送信は、第１のＵＥに関連する第１のパケットと、第２のＵＥからの第２のパケットと、第１のＵＥに関連するレイヤ２識別情報（Ｌ２−ＩＤ：layer 2 identification）テーブルの第１のインデックスと、第２のＵＥに関連するシステムアーキテクチャエボリューション（ＳＡＥ：system architecture evolution）一時モバイル加入者識別情報（Ｓ−ＴＭＳＩ：SAE temporary mobile subscriber identity）テーブルの第２のインデックスとを含む、組み合わせられたパケットを含む。さらに、本装置は、セル比一時識別子（Ｃ−ＲＮＴＩ）マッピングのためにＬ２−ＩＤテーブルの第１のインデックスを使用して第１のパケットを復号することができる。さらに、本装置は、Ｃ−ＲＮＴＩマッピングのためにＳ−ＴＭＳＩテーブルの第２のインデックスを使用して第２のパケットを復号することができる。
【０００９】
[0009]上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１０】
【図１】[0010]ワイヤレス通信システムおよびアクセスネットワークの一例を示す図。
【図２Ａ】[0011]ＤＬフレーム構造のＬＴＥ例を示す図。
【図２Ｂ】ＤＬフレーム構造内のＤＬチャネルのＬＴＥ例を示す図。
【図２Ｃ】ＵＬフレーム構造のＬＴＥ例を示す図。
【図２Ｄ】ＵＬフレーム構造内のＵＬチャネルのＬＴＥ例を示す図。
【図３】[0012]ワイヤレス通信システムのブロック図。
【図４】[0013]デバイスツーデバイス通信システムの図。
【図５Ａ】[0014]デバイスツーデバイス通信システムの図。
【図５Ｂ】デバイスツーデバイス通信システムの図。
【図５Ｃ】デバイスツーデバイス通信システムの図。
【図６】[0015]デバイスツーデバイス通信システムの図。
【図７】[0016]デバイスツーデバイス通信システムの流れ図。
【図８】[0017]デバイスツーデバイス通信システムの流れ図。
【図９】[0018]デバイスツーデバイス通信システムの流れ図。
【図１０Ａ】[0019]ワイヤレス通信の方法のフローチャート。
【図１０Ｂ】ワイヤレス通信の方法のフローチャート。
【図１１Ａ】[0020]ワイヤレス通信の方法のフローチャート。
【図１１Ｂ】ワイヤレス通信の方法のフローチャート。
【図１１Ｃ】ワイヤレス通信の方法のフローチャート。
【図１２Ａ】[0021]ワイヤレス通信の方法のフローチャート。
【図１２Ｂ】ワイヤレス通信の方法のフローチャート。
【図１２Ｃ】ワイヤレス通信の方法のフローチャート。
【図１３】[0022]例示的な装置中の異なる手段／コンポーネント間のデータフローを示す概念データフロー図。
【図１４】[0023]処理システムを採用する装置のためのハードウェア実装形態の一例を示す図。
【図１５】[0024]例示的な装置中の異なる手段／コンポーネント間のデータフローを示す概念データフロー図。
【図１６】[0025]処理システムを採用する装置のためのハードウェア実装形態の一例を示す図。
【図１７】[0026]例示的な装置中の異なる手段／コンポーネント間のデータフローを示す概念データフロー図。
【図１８】[0027]処理システムを採用する装置のためのハードウェア実装形態の一例を示す図。
【詳細な説明】
【００１１】
[0028]添付の図面に関して以下に記載される詳細な説明は、様々な構成を説明するものであり、本明細書で説明される概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にすることを回避するために、よく知られている構造およびコンポーネントがブロック図の形態で示されている。
【００１２】
[0029]次に、様々な装置および方法に関して電気通信システムのいくつかの態様が提示される。これらの装置および方法は、以下の詳細な説明において説明され、（「要素」と総称される）様々なブロック、コンポーネント、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１３】
[0030]例として、要素、または要素の任意の部分、または要素の任意の組合せは、１つまたは複数のプロセッサを含む「処理システム」として実装され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアを含む。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１４】
[0031]したがって、１つまたは複数の例示的な実施形態では、説明される機能は、ハードウェア、ソフトウェア、またはそれらの任意の組合せで実装され得る。ソフトウェアで実装される場合、機能は、１つまたは複数の命令またはコードとして、コンピュータ可読媒体上に記憶されるか、あるいはコンピュータ可読媒体上で符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１５】
[0032]図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００１６】
[0033]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための分配と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）を介して互いと直接または間接的に（たとえば、ＥＰＣ１６０を通して）通信し得る。バックホールリンク１３４はワイヤードまたはワイヤレスであり得る。
【００１７】
[0034]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＵＬよりも多いまたは少ないキャリアがＤＬのために割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００１８】
[0035]ワイヤレス通信システムは、５ＧＨｚ無認可（unlicensed）周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するとき、ＳＴＡ１５２／ＡＰ１５０は、チャネルが利用可能であるかどうかを決定するために、通信するより前にクリアチャネルアセスメント（ＣＣＡ）を実行し得る。
【００１９】
[0036]スモールセル１０２’は、認可および／または無認可周波数スペクトル中で動作し得る。無認可周波数スペクトル中で動作するとき、スモールセル１０２’は、ＬＴＥを採用し、Ｗｉ−Ｆｉ  ＡＰ１５０によって使用されるのと同じ５ＧＨｚ無認可周波数スペクトルを使用し得る。無認可周波数スペクトル中でＬＴＥを採用するスモールセル１０２’は、アクセスネットワークへのカバレージをブーストし、および／またはアクセスネットワークの容量を増加させ得る。無認可スペクトルにおけるＬＴＥは、ＬＴＥ無認可（ＬＴＥ−Ｕ：LTE-unlicensed）、認可支援アクセス（ＬＡＡ）、またはＭｕＬＴＥｆｉｒｅと呼ばれることがある。
【００２０】
[0037]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Broadcast Multicast Service Center）１７０と、パケットデータネットワーク（ＰＤＮ：Packet Data Network）ゲートウェイ１７２とを含み得る。ＭＭＥ１６２はホーム加入者サーバ（ＨＳＳ：Home Subscriber Server）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ：Internet protocol）パケットはサービングゲートウェイ１６６を通して転送され、それ自体はＰＤＮゲートウェイ１７２に接続される。ＰＤＮゲートウェイ１７２はＵＥのＩＰアドレス割振りならびに他の機能を与える。ＰＤＮゲートウェイ１７２およびＢＭ−ＳＣ１７０はＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信する（distribute）ために使用され得、セッション管理（開始／停止）と、ｅＭＢＭＳ関係の課金情報を収集することとを担当し得る。
【００２１】
[0038]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例は、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスを含む。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２２】
[0039]再び図１を参照すると、いくつかの態様では、第１のＵＥ１０４ａは、第１のＵＥ１０４ａのＵｕプロトコル構造においてパケットを受信するように構成され得る。第１のＵＥ１０４ａは、パケットを第１のＵＥ１０４ａのＵｕプロトコルスタックから第１のＵＥ１０４ａのＰＣ５インターフェースプロトコルスタックに転送するように構成され得る。第１のＵＥ１０４ａは、パケットを第１のＵＥ１０４ａからの基地局１０２に向けられた中継アップリンクトラフィック識別するために、ＰＣ５インターフェースプロトコルスタックにおいてそのパケットのヘッダを変更するように構成され得る。第１のＵＥ１０４ａは、たとえば、（いくつかの態様では、デバイスツーデバイス通信リンクであり得る）通信１２０を使用して、基地局１０２に中継するためにパケットを第２のＵＥ１０４に送信するように構成され得る。
【００２３】
[0040]第２のＵＥ１０４は、第１のＵＥ１０４ａから第２のＵＥ１０４のＰＣ５インターフェースプロトコルスタックにおいてパケットを受信するように構成され得る。第２のＵＥ１０４は、第２のＵＥ１０４のＵｕプロトコルスタックにおいて第２のパケットを受信するようにさらに構成され得る。第２のＵＥ１０４は、組み合わせられたパケットを作るために、第１のＵＥ１０４ａからのパケットと（第２のＵＥ１０４のＵｕプロトコルスタックにおいて受信された）第２のパケットとを組み合わせ得る。第２のＵＥ１０４は、第１のパケットを第１のＵＥ１０４ａからの中継アップリンクトラフィック識別し、第２のパケットを第２のＵＥ１０４からのローカルデータとして識別するために、組み合わせられたパケットのヘッダを変更し得る。第２のＵＥ１０４は、次いで、基地局１０２に、変更されたヘッダを含む組み合わせられたパケット１９８を送信し得る。
【００２４】
[0041]基地局１０２は、第２のＵＥ１０４から組み合わせられたパケット１９８を受信するように構成され得る。組み合わせられたパケット１９８は、第１のＵＥ１０４ａに関連する第１のパケットと、第２のＵＥ１０４からの第２のパケットと、第１のＵＥ１０４ａに関連するレイヤ２識別情報（Ｌ２−ＩＤ）テーブルの第１のインデックスと、第２のＵＥ１０４に関連するシステムアーキテクチャエボリューション（ＳＡＥ）一時モバイル加入者識別情報（Ｓ−ＴＭＳＩ）テーブルの第２のインデックスとを含み得る。基地局１０２は、セル無線一時識別子（Ｃ−ＲＮＴＩ）マッピング）のためにＬ２−ＩＤテーブルの第１のインデックスを使用して、組み合わせられたパケット１９８の第１のパケットを復号し得る。基地局１０２は、Ｃ−ＲＮＴＩマッピングのためにＳ−ＴＭＳＩテーブルの第２のインデックスを使用して第２のパケットを復号するようにさらに構成され得る。
【００２５】
[0042]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ：physical resource block）とも呼ばれる）時間並列（time concurrent）リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域中に１２個の連続するサブキャリアを含んでおり、時間領域中に６個の連続するシンボルを含んでいる。各ＲＥによって搬送されるビット数は変調方式に依存する。
【００２６】
[0043]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧは、ＯＦＤＭシンボル中に４つの連続するＲＥを含む。ＵＥは、ＤＣＩをも搬送するＵＥ固有拡張ＰＤＣＣＨ（ｅＰＤＣＣＨ：enhanced PDCCH）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ：automatic repeat request）（ＨＡＲＱ：hybrid ARQ）インジケータチャネル（ＰＨＩＣＨ：physical HARQ indicator channel）もスロット０のシンボル０内にあり、物理アップリンク共有チャネル（ＰＵＳＣＨ：physical uplink shared channel）に基づいて、ＨＡＲＱ確認応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ）を決定することができる。ＰＣＩに基づいて、ＵＥは、上述のＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢの数と、ＰＨＩＣＨ構成と、シス���ムフレーム番号（ＳＦＮ）とを与える。物理ダウンリンク共有チャネル（ＰＤＳＣＨ：physical downlink shared channel）は、ユーザデータと、システム情報ブロック（ＳＩＢ：system information block）などのＰＢＣＨを通して送信されないブロードキャストシステム情報と、ページングメッセージとを搬送する。
【００２７】
[0044]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）は、ＵＬシステム帯域幅のエッジ上に位置し得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなど、アップリンク制御情報（ＵＣＩ）を搬送する。ＰＵＳＣＨは、データを搬送し、バッファステータス報告（ＢＳＲ：buffer status report）、パワーヘッドルーム報告（ＰＨＲ）、および／またはＵＣＩを搬送するためにさらに使用され得る。
【００２８】
[0045]図３は、アクセスネットワーク中でＵＥ３５０と通信しているｅＮＢ３１０のブロック図である。ＤＬでは、ＥＰＣ１６０からのＩＰパケットはコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを通した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵのデマリプレクシングと、ＴＢからのＭＡＣ  ＳＤＵのデマリプレクシングと、スケジューリング情報報告と、ＨＡＲＱを通した誤り訂正と、優先度処理と、論理チャネル優先度付けとに関連するＭＡＣレイヤ機能を与える。
【００２９】
[0046]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングを扱う。コーディングされ、変調されたシンボルは、次いで、並列ストリームにスプリットされ得る。各ストリームは、次いで、時間領域ＯＦＤＭシンボルストリームを搬送する物理チャネルを作るために、ＯＦＤＭサブキャリアにマッピングされ、時間領域および／または周波数領域中で基準信号（たとえば、パイロット）と多重化され、次いで、逆高速フーリエ変換（ＩＦＦＴ：Inverse Fast Fourier Transform）を使用して互いに合成され得る。ＯＦＤＭストリームは、複数の空間ストリームを作るために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００３０】
[0047]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって算出されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、レイヤ３およびレイヤ２機能を実装するコントローラ／プロセッサ３５９に与えられる。
【００３１】
[0048]コントローラ／プロセッサ３５９は、プログラムコードとデータとを記憶するメモリ３６０に関連し得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００３２】
[0049]ｅＮＢ３１０によるＤＬ送信に関して説明された機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／復元と、セキュリティ（暗号化、解読、完全性保護、完全性検証）とに関連するＰＤＣＰレイヤ機能、ならびに上位レイヤＰＤＵの転送と、ＡＲＱを通した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを通した誤り訂正と、優先度処理と、論理チャネル優先度付けとに関連するＭＡＣレイヤ機能を与える。
【００３３】
[0050]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３４】
[0051]ＵＬ送信は、ＵＥ３５０における受信機機能に関して説明された様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。
【００３５】
[0052]コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００３６】
[0053]図４はデバイスツーデバイス通信システム４００の図である。デバイスツーデバイス通信システム４００は複数のＵＥ４０４および４０６を含む。デバイスツーデバイス通信システム４００は、たとえば、ワイヤレスワイドエリアネットワーク（ＷＷＡＮ）などのセルラー通信システムと重複し得る。ＵＥ４０４および４０６は、ＤＬ／ＵＬ  ＷＷＡＮスペクトルを使用してデバイスツーデバイス通信において互いに通信し得、一部はｅＮＢ４０２と通信し得、一部は両方を行い得る。たとえば、図４に示されているように、ＵＥ４０６は、ｅＮＢ４０２とのセルラー通信４１０中にある。ｅＮＢ４０２はまた、ダウンリンク通信４１２をＵＥ４０６に送信している。たとえば、ＵＥ４０６は、リレーＵＥ８０４へのＤ２Ｄ送信４１０のために、およびｅＮＢ４０２からのダウンリンク（ＤＬ）送信４１２の受信のために構成されたリモート発展型マシンタイプ通信（ｅＭＴＣ）ＵＥであり得る。例示的な実施形態では、リモートｅＭＴＣ  ＵＥ４０６は、リレーＵＥ４０４からのＤ２Ｄ受信のために、またはｅＮＢ４０２へのＵＬ送信のために構成されないことがある。このようにして、リモートｅＭＴＣ  ＵＥ４０６は、低コストの利点を依然として維持しながら、改善された電力効率においてＵＬカバレージ拡張を与え得る。さらに、ＵＥ４０４は、ｅＮＢ４０２との通信４０８を受信することと送信することとの両方を行う、セルラー通信４０８中にある。
【００３７】
[0054]以下で説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置がＬＴＥのコンテキスト内で説明される。ただし、例示的な方法および装置は、様々な他のワイヤレスデバイスツーデバイス通信システムにより一般的に適用可能であることを当業者は理解されよう。
【００３８】
[0055]図５Ａおよび図５Ｂは、Ｄ２Ｄ通信システム５００の図である。たとえば、通信システム５００は、リモートＵＥ５０２のＰＣ５インターフェースプロトコルスタックからのＵＬ送信をリレーＵＥ５０４を介してｅＮＢ５０６に中継するためのアップリンク（ＵＬ）プロトコルスタックを含み得る。一態様では、リモートＵＥ５０２は、発展型マシンタイプ通信（ｅＭＴＣ）ＵＥであり得る。
【００３９】
[0056]図５Ａおよび図５Ｂを参照すると、リモートＵＥ５０２とリレーＵＥ５０４とは各々、それぞれ、コアネットワークとリモートＵＥ５０２およびリレーＵＥ５０４の各々との間のインターフェースを与える非アクセス層（ＮＡＳ）サブレイヤ５１０、５４８を含み得る。ＮＡＳサブレイヤ５１０、５４８は、通信セッションの確立を管理するために、ならびに、リモートＵＥ５０２および／またはリレーＵＥ５０４が移動するときにＥＰＣおよびリモートＵＥ５０２およびリレーＵＥ５０４との連続通信を維持するために、使用され得る。さらに、リモートＵＥ５０２とリレーＵＥ５０４とは各々、無線リソース（たとえば、無線ベアラ）を取得することと、ｅＮＢ５０６とリモートＵＥ５０２およびリレーＵＥ５０４の各々との間のＲＲＣシグナリングを使用して下位レイヤを構成することとを担当するＲＲＣサブレイヤ５１２、５５０を含み得る。
【００４０】
[0057]その上、リモートＵＥ５０２とリレーＵＥ５０４とは各々、ｅＮＢ５０６にエアインターフェースを与えるユーザプレーンプロトコルスタック（Ｕｕ）５２６、５５４を含み得る。たとえば、リモートＵＥ５０２中のＵｕ５２６は、ＩＰサブレイヤ５１４とＰＤＣＰサブレイヤ５１６とを含み得る。リレーＵＥ５０４中のＵｕ５５４は、ＩＰサブレイヤ５３８と、ＰＤＣＰサブレイヤ５４０と、ＲＬＣサブレイヤ５４２と、ＭＡＣサブレイヤ５４４と、Ｌ１レイヤ５４６とを含み得る。ＩＰレイヤ５１４、５３８は、インターネット、イントラネット、ＩＭＳ、ＰＳＳ、および／または他のＩＰサービスのうちの１つまたは複数へのアクセスを与え得る。ＰＤＣＰサブレイヤ、ＲＬＣサブレイヤ、ＭＡＣサブレイヤ、およびＬ１レイヤのための説明が、図５に関して上記で見つけられ得る。
【００４１】
[0058]まだ図５Ａおよび図５Ｂを参照すると、リモートＵＥ５０２とリレーＵＥ５０４とは各々、リモートＵＥ５０２とリレーＵＥ５０４との間のＤ２Ｄ通信のためのＰＣ５インターフェースプロトコルスタック５２８、５５２を含み得る。各ＰＣ５スタック５２８、５５２は、ＰＤＣＰサブレイヤ５１８、５３０と、ＲＬＣサブレイヤ５２０、５３２と、ＭＡＣサブレイヤ５２２、５３４と、Ｌ１レイヤ５２４、５３６とを含む。
【００４２】
[0059]ｅＮＢ５０６は、コアネットワークとｅＮＢ５０６との間のインターフェースを与えるＮＡＳサブレイヤ５７０を含み得る。さらに、ｅＮＢ５０６は、無線リソース（たとえば、無線ベアラ）を取得することと、ｅＮＢ５０６とリモートＵＥ５０２およびリレーＵＥ５０４の各々との間のＲＲＣシグナリングを使用して下位レイヤを構成することとを担当するＲＲＣサブレイヤ５６８を含み得る。
【００４３】
[0060]さらに、ｅＮＢ５０６は、リレーＵＥ５０４との間のエアインターフェースを与えるリレーＵｕ５７２を含み得る。さらに、ｅＮＢ５０６は、リレーＵＥ５０２との間のエアインターフェースを与えるリモートＵｕ５７４を含み得る。たとえば、リモートＵｕ５７４は、ＩＰサブレイヤ５６６と通信しているＰＤＣＰサブレイヤ５６４を含み得る。リレーＵｕ５５６は、ＰＤＣＰサブレイヤ５６２と、ＲＬＣサブレイヤ５６０と、ＭＡＣサブレイヤ５５８と、Ｌ１レイヤ５５６とを含み得る。ＩＰレイヤ５１４、５３８は、インターネット、イントラネット、ＩＭＳ、ＰＳＳ、および／または他のＩＰサービスのうちの１つまたは複数へのアクセスを与え得る。
【００４４】
[0061]次に図５Ａを参照すると、第１のパケットが、リモートＵＥ５０２によってＵｕ５２６において受信され得る。第１のパケットは、ｅＮＢ５０６に向けられ得る。しかしながら、リモートＵＥ５０２はｅＮＢ５０６とのＵＬ送信のために構成されないことがあるので、リモートＵＥ５０２は、リレーＵＥ５０４を介して第１のパケットをｅＮＢ５０６に中継し得る。リレーＵＥ５０４は、リモートＵＥ５０２からｅＮＢ５０６に中継される第１のパケットを送信し得る。Ｕｕ５２６中のＰＤＣＰサブレイヤ５１６は、第１のパケットをＰＣ５スタック５２８中のＰＤＣＰサブレイヤ５１８に転送し得る。ＰＤＣＰサブレイヤ５１８は、第１のパケットをリモートＵＥ５０２からの基地局に向けられた中継アップリンクトラフィックとして識別するために、第１のパケットのヘッダを変更し得る。たとえば、ヘッダは、ｅＮＢ５０６が、第１のパケットをリモートＵＥ５０２から発信するものとして識別する際に使用し得るシステムアーキテクチャエボリューション（ＳＡＥ）一時モバイル加入者識別情報（Ｓ−ＴＭＳＩ）を含むように変更され得る。さらに、変更されたヘッダは、ＰＣ５ ＰＤＣＰヘッダ（たとえば、１バイト）と、第１のパケットが中継ＵＬリンクトラフィックであることを示す情報（たとえば、１ビット）と、（たとえば、リモートＵＥ５０２がｅＮＢ５０６からのＤＬ送信を受信することができることを示す）ＤＬトラフィックのための「ハートビート（heartbeat）」を示す情報とを含み得る。変更されたヘッダを含む第１のパケットは、ＰＣ５スタック５２８中のＬ１  ５２４まで転送され得る。第１のパケットは、次いで、Ｌ１  ５２４を介してリレーＵＥ５０４に送信され得る。一態様では、第１のパケットは、リレーＵＥ５０４中のＰＣ５スタック５５２のＬ１  ５３６において受信され得る。
【００４５】
[0062]まだ図５Ａを参照すると、第１のパケットは、次いで、ＰＣ５スタック５５２のサブレイヤを通して上に受け渡され（be passed up through the sublayers of PC5 stack 552）得る。ＰＤＣＰサブレイヤ５３０は、第１のパケットをＵｕ５５４中のＰＤＣＰサブレイヤ５４０に転送し得る。その上、第２のパケットが、ＰＤＣＰサブレイヤ５４０において受信され得る。たとえば、第２のパケットは、リレーＵＥ５０４から発信し、ｅＮＢ５０６に向けられたローカルデータであり得る。ＰＤＣＰサブレイヤ５４０は、第１のパケットと第２のパケットの両方がｅＮＢ５０６に向けられるので、第１のパケットと第２のパケットとを組み合わせ得る。ＰＤＣＰサブレイヤ５４０は、第１のパケットをリモートＵＥ５０２からの中継アップリンクトラフィックとして識別し、第２のパケットをリレーＵＥ５０４からのローカルデータ識別するために、組み合わせられたパケットのヘッダを変更し得る。たとえば、組み合わせられたパケットの変更されたヘッダは、リレーＵＥ５０４に関連するレイヤ２識別情報（Ｌ２−ＩＤ）テーブルのインデックスと、リモートＵＥ５０２に関連するＳ−ＴＭＳＩ／ＩＭＳＩテーブル（たとえば、ソースリモートＵＥ５０２のＰｒｏＳｅ  Ｌ２−ＩＤを示すためのＰｒｏＳｅ  Ｌ２−ＩＤテーブル）のインデックスとを含み得る。組み合わせられたパケットは、Ｕｕ５５４中のサブレイヤを通して下に受け渡され（be passed down through the sublayers in the Uu 554）得る。さらに、組み合わせられたパケットの変更されたヘッダは、第１のパケットがリモートＵＥ５０２から中継されていることを示す情報（たとえば、１ビット）を含み得る。変更されたヘッダを含む組み合わせられたパケットは、Ｌ１レイヤ５４６を介してｅＮＢ５０６に送信され得る。
【００４６】
[0063]再び図５Ａを参照すると、組み合わせられたパケットは、ｅＮＢ５０６のリレーＵｕ５７２において受信され得る。一態様では、組み合わせられたパケットは、リレーＵｕ５７２のＬ１レイヤ５５６において受信され、次いで、ＰＤＣＰサブレイヤ５６２まで受け渡され得、ここで、組み合わせられたパケットの変更されたヘッダが削除および／または復号され得る。ｅＮＢ５０６は、Ｃ−ＲＮＴＩマッピングのために、変更されたヘッダ中のＳ−ＴＭＳＩ／ＩＭＳＩテーブルのインデックスを使用して第１のパケットを復号し得る。さらに、ｅＮＢ５０６は、Ｃ−ＲＮＴＩマッピングのために、変更されたヘッダ中のＬ２−ＩＤテーブルのインデックスを使用して第２のパケットを復号し得る。たとえば、ｅＮＢ５０６は、Ｃ−ＲＮＴＩマッピングのためにＳ−ＴＭＳＩ／ＩＭＳＩを決定し、第１のパケットをリモートＵｕ５７４にルーティングするために、Ｓ−ＴＭＳＩ／ＩＭＳＩのインデックスを使用し得る。代替的に、ｅＮＢ５０６は、リレーＵＥ５０４のためのＣ−ＲＮＴＩマッピングのためにＰｒｏＳｅ  Ｌ２−ＩＤのインデックスを使用し得る。一態様では、ＰｒｏＳｅ  Ｌ２−ＩＤ／関連インデックスとＳ−ＴＭＳＩ／ＩＭＳＩ／関連インデックスとは、ＳｉｄｅｌｉｎｋＵＥｉｎｆｏｒｍａｔｉｏｎメッセージ中でリレーＵＥ５０４によってｅＮＢ５０６に与えられ得る。
【００４７】
[0064]図５Ｂは、図５Ａに関して上記で説明されたＲＬＣのための同じプロトコルスタックを含むが低減されたオーバーヘッドをもつ、Ｄ２Ｄ通信システム５００の図である。一態様では、ＲＬＣは、非確認応答モード（ＵＭ：unacknowledged mode）で動作し得る。図５Ｂに示されているように、リレーＵＥ５０４におけるＵｕ  ５５４とｅＮＢ５０６におけるリレーＵｕ５７２との間のプロトコルスタックは不変である。これは、何らかの冗長、たとえば、リレーＵＥ５０４とｅＮＢ５０６との間のリンクの追加のセキュリティを含み、データがリモートＵＥ５０２におけるＰＤＣＰサブレイヤ５１８によってセキュアにされるので、必要とされないことがある。ここで、第１のパケットは、リレーＵＥ５０４を介して、ただしプロトコルスタックの異なるレイヤを介して、ｅＮＢ５０６に中継され得る。たとえば、第１のパケットは、ｅＮＢ５０６におけるＲＬＣレイヤ５６０を通してリモートＵｕ５７４のためのＰＤＣＰサブレイヤ５６４に受け渡され得る。一態様では、第１のパケットは、Ｕｕ  ＰＤＣＰサブレイヤ５１６からＰＣ５ ＲＬＣ５２０まで通信経路５９２に従い得、リレーＵＥ５０４において、第１のパケットは、ＰＣ５ ＲＬＣ５３２からＵｕ  ＲＬＣ５４２まで通信経路５９２に従い得る。
【００４８】
[0065]図５Ｃは、ＲＬＣ確認応答モード（ＡＭ：acknowledgement mode）のためのプロトコルスタックを含むＤ２Ｄ通信５００の図である。図５Ｃは、リモートＵＥ５０２のＵｕ５２６中で受信された第１のパケットが、ＲＬＣサブレイヤ５７６を介してＰＣ５  ５２８に転送されることを除いて、図５Ａおよび図５Ｂに関して上記で説明されたものと同様のプロトコルスタックを開示する。さらに、リレーＵｕ５７２中のＰＤＣＰサブレイヤ５６２は、第１のパケットを、ｅＮＢ５０６におけるリモートＵｕ５７４中のＲＬＣサブレイヤ５７８に転送する。Ｕｕ上のＲＬＣ  ＡＭエンティティがインスタンス化され、これは、ＵＥとｅＮＢとの間の通常Ｕｕ動作（たとえば、ＵＥとｅＮＢとの間の直接ＵＬおよびＤＬ通信）に似ている。図５Ｃに示されているように、セグメンテーションは、ＰＣ５リンク（たとえば、したがってリモートＵＥ５０２におけるＰＣ５  ＭＡＣサブレイヤ５２２とＵｕ  ＲＬＣサブレイヤ５７６との間の結合）に基づいて行われ得る。ＲＬＣ  ＵＭと比較して、ＲＬＣ  ＡＭは、ＵＬ送信のための信頼性／フィードバックを与えることができる。ＲＬＣ  ＡＭを有することはまた、リモートＵＥ５０２がカバレージ外にある（無線リンク障害（ＲＬＦ：radio link failure）送信タイマータイムアウト）とき、ＲＬＦのためのレガシープロシージャを再利用するのに役立ち得る。
【００４９】
[0066]図６は、リモートＵＥ６０４とｅＮＢ６０２との間のダウンリンクプロトコルスタックを示す。
【００５０】
[0067]図６に示されているように、ｅＮＢは、ＰＤＣＰサブレイヤ６１０と、ＲＬＣサブレイヤ６１２と、ＭＡＣサブレイヤ６１４と、Ｌ１レイヤ６１６とを含むリモートＵｕ６１８を含む。リモートＵｕ６１８は、ＲＲＣサブレイヤ６０６およびＩＰサブレイヤ６０８と通信していることがある。ＰＤＣＰサブレイヤ６１０からリモートＵｕ６１８の下へＬ１  ６１６までパケットを受け渡すことによって、パケットがダウンリンク上で送信していることがある。パケットは、Ｌ１  ６１６を介してリモートＵＥ６０４に、リモートＵＥ６０４におけるＵｕ６３２中のＬ１  ６２０に送信され得る。リモートＵＥ６０４におけるＵｕ６３２は、Ｌ１レイヤ６２０と、ＭＡＣサブレイヤ６２２と、ＲＬＣサブレイヤ６２４と、ＰＤＣＰサブレイヤ６２６と、ＩＰサブレイヤ６２８とを含み得る。ＰＤＣＰサブレイヤ６２６は、リモートＵＥ６０４におけるＲＲＣサブレイヤ６３０と通信していることがある。サブレイヤの各々のための説明は、図３および図５Ａ〜図５Ｃに関して上記で説明された。
【００５１】
[0068]図７は、リレーＵＥ７０４を介したｅＮＢ７０６へのリモートＵＥ７０２の初期アタッチプロシージャのための流れ図７００を示す。図７中の影付き矢印は、リレーＵＥ７０４を介してリモートＵＥ７０２からｅＮＢ７０６に中継（たとえば、トンネリング）されているメッセージを示す。
【００５２】
[0069]図７に示されているように、リモートＵＥ７０２は、発見メッセージ（ＰＣ５−Ｄ）７１０をリレーＵＥ７０４に送ることができる。一態様では、ＰＣ５−Ｄ７１０は、リモートＵＥ７０２に関連するＩＭＳＩ、リモートＵＥ７０２を、リレーＵＥ７０４を介してｅＮＢ７０６と通信する他のＵＥと区別する数「Ｘ」、アタッチ要求、および／またはＵｕリンク品質を含むことができる。リレーＵＥ７０４は、リレー要求７１２をｅＮＢ７０６に送ることができる。リレー要求７１２は、ＳＬＵＥＩｎｆｏメッセージであり、インデックスを含み得る。ｅＮＢ７０６は、ＲＲＣ再構成メッセージ７１４をリレーＵＥ７０４に送ることができる。さらに、ｅＮＢ７０６は、ＲＲＣ接続セットアップメッセージ７１６をリモートＵＥ７０２に送ることができる。たとえば、ＲＲＣ接続メッセージは、リレーＵＥ７０４および／またはリモートＵＥ７０２に関連するＬ２−ＩＤとＣ−ＲＮＴＩとを含むことができる。リモートＵＥ７０２は、リレーＵＥ７０４を介してＰＣ５−Ｃメッセージ７１８をｅＮＢ７０６に送ることができる。一態様では、ＰＣ５−Ｃメッセージ７１８は、ＲＲＣ接続セットアップ完了およびＮＡＳアタッチ要求（ＮＡＳ−ＡＲ：NAS attach request）を含み得る。
【００５３】
[0070]ｅＮＢ７０６は、Ｓ１アプリケーションプロトコル（Ｓ１−ＡＰ）初期ＵＥメッセージおよびＮＡＳ−ＡＲ７２０をＭＭＥ７０８に送信し得る。たとえば、Ｓ１−ＡＰは、Ｅ−ＵＴＲＡとＥＰＣとの間のシグナリングサービスを与える。ＭＭＥ７０８は、シグナリングサービスが確立されると、認証要求７２２をｅＮＢ７０６に送信し得る。たとえば、認証要求７２２は、Ｓ１−ＡＰ  ＤＬ  ＮＡＳトランスポートおよびＮＡＳ認証要求を含み得る。ｅＮＢ７０６は、認証要求７２４をリモートＵＥ７０２に送信し得る。たとえば、認証要求７２４は、ＲＲＣ  ＤＬ情報転送およびＮＡＳ認証要求を含み得る。リモートＵＥ７０２は、リレーＵＥ７０４を介してＰＣ５−Ｃ認証応答７２６をｅＮＢ７０６に送り得る。たとえば、ＰＣ５−Ｃ認証応答７２６は、ＲＲＣ  ＤＬ情報転送＋ＮＡＳ（認証応答）を含み得る。
【００５４】
[0071]ｅＮＢ７０６は、認証応答７２８をＭＭＥ７０８に送信し得る。たとえば、認証応答７２８は、Ｓ１−ＡＰ  ＵＬ  ＮＡＳトランスポート＋ＮＡＳ（認証応答）を含み得る。ＭＭＥ７０８は、セキュリティモードコマンド７３０をｅＮＢ７０６に送信し得る。たとえば、セキュリティモードコマンド７３０は、Ｓ１−ＡＰ  ＤＬ  ＮＡＳトランスポート＋ＮＡＳ（セキュリティモードコマンド）を含み得る。ｅＮＢ７０６は、セキュリティコードコマンド７３２をリモートＵＥ７０２に送信し得る。たとえば、セキュリティコードコマンド７３２は、ＲＲＣ  ＤＬ情報転送＋ＮＡＳ（セキュリティモードコマンド）を含み得る。リモートＵＥ７０２は、リレーＵＥ７０４を介してセキュリティコード完了メッセージ７３４をｅＮＢ７０６に送信し得る。
【００５５】
[0072]ｅＮＢ７０６は、セキュリティコード完了メッセージ７３６をＭＭＥ７０８に送信し得る。たとえば、セキュリティコード完了メッセージ７３６は、Ｓ１−ＡＰ  ＵＬ  ＮＡＳトランスポート＋ＮＡＳ（セキュリティモード完了）を含み得る。ＭＭＥ７０８は、アタッチ受付メッセージ７３８をｅＮＢ７０６に送信し得る。たとえば、アタッチ受付メッセージ７３８は、Ｓ１−ＡＰ初期コンテキストセットアップ要求＋ＮＡＳ（アタッチ受付＋デフォルトＥＰＳベアラコンテキスト要求）メッセージを含み得る。ｅＮＢ７０６は、Ｓ−ＴＭＳＩメッセージ７４０をリモートＵＥ７０２に送信し得る。たとえば、Ｓ−ＴＭＳＩメッセージ７４０は、ＲＲＣ接続再構成＋ＮＡＳ（アタッチ受付＋デフォルトＥＰＳベアラコンテキスト要求）を含み得る。
【００５６】
[0073]リモートＵＥ７０２は、リレーＵＥ７０４を介してＰＣ５−Ｃ  ＲＲＣ接続構成完了メッセージ７４２をｅＮＢ７０６に送り得る。ｅＮＢ７０６は、Ｓ１−ＡＰ初期コンテキストセットアップ応答メッセージ７４４をＭＭＥ７０８に送り得る。リモートＵＥ７０２は、ＰＣ５−Ｃアタッチ完了メッセージ７４６をｅＮＢ７０６に送り得る。たとえば、アタッチ完了メッセージ７４６は、ＲＲＣ  ＵＬ情報転送＋ＮＡＳ（アタッチ完了＋デフォルトＥＰＳベアラコンテキストアクティブ化受付（Activate Default EPS Bearer Context Accept））メッセージを含み得る。ｅＮＢ７０６は、Ａ１−ＡＰ  ＵＬトランスポートメッセージ７４８をＭＭＥ７０８に送信し得る。
【００５７】
[0074]新しいＲＲＣ接続セットアップメッセージ７１６は、Ｃ−ＲＮＴＩ、リレーＬ２  ＩＤを含み得、随意に、ＵＬ構成（たとえば、専用ＰＵＳＣＨ  Ｔｘ電力設定など）を含み得る。競合を解決するために、ｅＮＢ７０６は、リモートＵＥ７０２のＳ−ＴＭＳＩ／ＩＭＳＩをリモートＵＥ７０２および／またはリレーＵＥ７０４のうちの１つまたは複数に与えることができる。さらに、ｅＮＢ７０６は、新しい保存されたＲＮＴＩ（たとえば、ＲＳ−ＲＮＴＩ）を使用してリモートＵＥ７０２にシグナリングし得る。
【００５８】
[0075]リレーＵＥ７０４が移動している場合、新しいｅＮＢへのリレーＵＥ７０４のためのレガシーハンドオーバプロシージャが適用され得る。たとえば、リレーＵＥ７０４は、ｅＮＢ７０６もリモートＵＥ７０２を動かす場合、ＰＣ５プロトコルスタックをティアダウンする（tear down）ことまたはＰＣ５プロトコルスタックをしばらくの間保つことのいずれかを行うことを決定し得る。追加および／または代替として、ｅＮＢ７０６は、リレー要請を再開するために専用トリガをリモートＵＥ７０２に送り得る。
【００５９】
[0076]リモートＵＥ７０２が移動している場合、レガシーアイドル／接続モードプロシージャが適用され得る。たとえば、ｅＮＢ７０６は、ＰＣ５プロトコルスタックをティアダウンするためにリモートＵＥ７０２にシグナリングし得る。ｅＮＢ７０６は、ＲＬＣ  ＡＭがＵＬにおいて使用されるかどうかを決定することによって、リモートＵＥ−リレーＵＥリンクが依然として利用可能であるかどうかを決定し得る。ここで、リモートＵＥ−ｅＮＢ  ＵＬリンクおよび／またはリモートＵＥ−ｅＮＢ  ＤＬリンクが中断する場合の無線リンク障害（ＲＬＦ）を含む、レガシープロシージャが適用され得る。追加および／または代替として、決定は、ＵＬのためのＲＬＦ  ＵＭが使用されるかどうかに基づいて行われ得、次いで、ハートビート信号を導入する。ＰＤＣＰ  ＡＣＫ（たとえば、受信されたパケットの数）は、リンクハートビートインジケーションとして使用され得る。
【００６０】
[0077]図８は、リレーＵＥ８０４を介したリモートＵＥ８０２からｅＮＢ８０６へのデータトンネリングプロシージャのための流れ図８００を示す。図８中の影付き部分は、リレーＵＥ８０４を介してｅＮＢ８０６にトンネリングされる、リモートＵＥ８０２からのＵＬデータ送信を示す。
【００６１】
[0078]図８を参照すると、リモートＵＥ８０２は、ｅＮＢ８０６に中継するために、ＰＣ５−Ｃデータ送信８０８をリレーＵＥ８０４に送ることができる。リレーＵＥ８０４は、バッファステータス報告（ＢＳＲ）８１０をｅＮＢ８０６に送り得る。随意に、ＢＳＲ８０は、リレーＵＥ８０４および／またはリモートＵＥ８０２に関連するＬ２−ＩＤへのおよびインデックスを含み得る。ｅＮＢ８０６は、ＵＬ許可８１２をリレーＵＥ８０４に送信し得る。リレーＵＥ８０４は、ＰＣ５−Ｃデータ送信８０８に関連するＵｕデータ送信８１４をｅＮＢ８０６に送信し得る。一態様では、Ｕｕデータ送信８１４は、送信８１４が中継データであることを示す１ビットの情報と、リモートＵＥ８０２のＬ２−ＩＤへのインデックスとを含むＰＤＣＰヘッダを含み得る。
【００６２】
[0079]図９は、リレーＵＥ９０４を介したリモートＵＥ９０２からｅＮＢ９０６へのデータトンネリングプロシージャのための流れ図９００を示す。たとえば、図９に示されているデータトンネリングプロシージャは、リモートＵＥ９０２がネットワークへのアタッチプロシージャを実行し、ＩＭＳＩおよび／またはグローバル一意一時識別子（ＧＵＴＩ：globally unique temporary identifier）を取得した後、開始し得る。図９中の影付き部分は、リレーＵＥ９０４を介してｅＮＢ９０６にトンネリングされる、リモートＵＥ９０２からのＵＬデータ送信を示す。
【００６３】
[0080]一態様では、リモートＵＥ９０２は、発見メッセージ９１６をリレーＵＥ９０４に送信し得る。たとえば、発見メッセージ９１６は、Ｓ−ＴＭＳＩとＮＡＳ探索要求（ＮＡＳ−ＳＲ：NAS search request）とを含むＰＣ５−Ｄ発見メッセージであり得る。リレーＵＥ９０４は、リレー要求メッセージ９１８をｅＮＢ９０６に送り得る。たとえば、リレー要求メッセージは、発見メッセージ９１６中で受信されたＳ−ＴＭＳＩとＮＡＳ−ＳＲとを含み得る。リレーＵＥ９０４を介したリモートＵＥ９０２からｅＮＢ９０６へのＵＬデータ中継の目的でリレーＵＥ９０４への要請のためのリモートＵＥ９０２からの新しい発見メッセージ９１６。たとえば、発見メッセージは、コンテンツ（たとえばデータ）、Ｓ−ＴＭＳＩ＋ＮＡＳ−ＳＲ（Ｓ−ＴＭＳＩが利用可能である場合）、および／またはＩＭＳＩ／Ｘ＋ＮＡＳ−ＡＲのためのインジケーション（たとえば、ＰＣ５−Ｃ上で送られた実際のＮＡＲ−ＡＲ）を含み得る。ここで、「Ｘ」は、リモートＵＥ９０２を、リレーＵＥ９０４を介してｅＮＢ９０６と通信している他のＵＥと区別する、リモートＵＥ９０２に関連する値であり得る。その上、新しい発見メッセージ９１６は、カバレージレベルインジケーションをも含み得る（たとえば、ｅＮＢ９０６は、ＴＴＩバンドリングのためにこれを使用することができる）。カバレージレベルインジケーションは、（たとえば、ｅＮＢ９０６からリモートＵＥ９０２へのダウンリンク送信に関連する信号電力に関する）Ｕｕ基準信号受信電力（ＲＳＲＰ：reference signal received power）、粗いカバレージレベルインジケーション（たとえば、良好、不十分、悪い）、および／またはＲＡＣＨ  ＩＤ（たとえば、狭帯域モノのインターネット（ＮＢ−ＩＯＴ：narrowband internet of things）と同様に、ＲＡＣＨ  ＩＤはカバレージレベルを示し得、ＤＬ  ＵＬのためのＲＡＣＨを送る代わりに、リモートＵＥ９０２は、ｅＮＢ９０６との直接ＵＬ通信が使用された場合にそれが使用したであろうＲＡＣＨ  ＩＤを示すことができ、それを新しいＰＣ５−Ｄ発見メッセージ９１６中で送る）を含み得る。
【００６４】
[0081]ｅＮＢ９０６は、Ｓ１−ＡＰ初期ＵＥメッセージ９２０をＭＭＥ−ｍ９０８に送り得る。たとえば、メッセージ９２０は、ＰＤ５−Ｄ発見メッセージ９１６中で送られたＳ−ＴＭＳＩとＮＡＳ−ＲＳとを含み得る。ＭＭＥ−ｍ９０８は、Ｓ１−ＡＰ初期コンテキストセットアップ要求９２２をｅＮＢ９０６に送り得る。セットアップ要求９２２は、Ｐ／ＳＧＷ−ｍ９１２のトンネルエンドポイントＩＤ（ＴＥＩＤ：tunnel endpoint ID）を含み得る。ｅＮＢ９０６は、ＲＲＣ接続再構成メッセージ９２４をリレーＵＥ９０４に送り得る。たとえば、ＲＲＣ接続再構成メッセージ９２４は、リレーＵＥ９０４がリモートＵＥ９０２からｅＮＢ９０６にＵＬデータを中継するときに使用するためのリモートＵＥ９０２に関連するＩＤを含み得る。ｅＮＢ９０６は、リモートＵＥ９０２からのＳ１−Ｕ  ＵＬ送信が準備ができていることを示す信号９２８をＰ／ＳＧＷ−ｍ９１２に送り得る。さらに、ｅＮＢ９０６は、これをリモートＵＥ９０２のＩＤとともに記憶し得る。ｅＮＢ９０６は、新しいメッセージ９２６をリモートＵＥ９０２に送り得る。たとえば、新しいメッセージ９２６は、リレーＵＥ９０４に関連するＬ２−ＩＤとＣ−ＲＮＴＩとを含み得る。ｅＮＢ９０６は、コンテキスト管理プロシージャ（ｃｍｐ）を含むＳ１−ＡＰ初期コンテキストセットアップメッセージ９３０をＭＭＥ−ｍ９０８に送り得る。たとえば、コンテキストセットアップメッセージ９３０は、ｅＮＢ−ｍ  ＴＥＩＤを含み得る。ＭＭＥ−ｍ９０８とＰ／ＳＧＷ−ｍ９１２とは、ベアラ変更メッセージ９３２を互いに通信し得る。ｅＮＢ９０６とＰ／ＳＧＷ−ｍ９１２とは、リモートＵＥ９０２（ｍ−ＵＥ）のためのＳ１−Ｕ  ＤＬデータが準備ができていることを通信し得る。Ｐ／ＳＧＷ−ｍ９１２は、この情報をリモートＵＥ９０２とともに（たとえば、リモートＵＥ９０２の識別子とともに）記憶し得る。リモートＵＥ９０２は、リレーＵＥ９０４を介してＰＤ５−Ｕ  ＵＬデータ送信９３６をｅＮＢ９０６に送り得る。たとえば、ＰＤ５−Ｕ送信９３６は、リレーＵＥ９０４のＬ２−ＩＤを含み得る。ｅＮＢ９０６は、汎用パケット無線サービス（ＧＰＲＳ：general packet radio service）トンネリングプロトコル（ＧＴＰ−Ｕ：GPRS tunneling protocol）メッセージ９３８をＰ／ＳＧＷ−ｍ９１２に送り得る。たとえば、ＧＴＰ−Ｕメッセージは、リモートＵＥ９０２から中継されたＵＬデータを含み得る。Ｐ／ＳＧＷ−ｍ９１２は、データ９４０をＥＰＣに送り得る。
【００６５】
[0082]図１０Ａおよび図１０Ｂは、ワイヤレス通信の方法のフローチャート１０００である。方法は、第１のＵＥ（たとえば、図５Ａ〜図５Ｃに示されたリモートＵＥ５０２、図７中のリモートＵＥ７０２、図８中のリモートＵＥ８０２、および／または図９中のリモートＵＥ９０２）によって実行され得る。第２のＵＥは、図５Ａ〜図５Ｃに示されたリレーＵＥ５０４、図７中のリレーＵＥ７０４、図８中のリレーＵＥ８０４、または図９中のリレーＵＥ９０４を含み得る。破線で示される動作が、本開示の様々な態様のための動作を表すことを理解されたい。
【００６６】
[0083]ブロック１００２において、第１のＵＥは、第１のＵＥのユーザプレーンプロトコルスタックにおいてパケットを受信することができ、パケットは基地局に向けられる。たとえば図５Ａを参照すると、第１のパケットが、リモートＵＥ５０２によってＵｕ５２６において受信され得る。第１のパケットは、ｅＮＢ５０６に向けられ得る。
【００６７】
[0084]ブロック１００４において、第１のＵＥは、パケットを第１のＵＥのユーザプレーンプロトコルスタックから第１のＵＥのＰＣ５インターフェースプロトコルスタックに転送することができる。たとえば、図５Ａを参照すると、リモートＵＥ５０２のＵｕ５２６中のＰＤＣＰサブレイヤ５１６は、第１のパケットをＰＣ５  ５２８中のＰＤＣＰサブレイヤ５１８に転送する。
【００６８】
[0085]ブロック１００６において、第１のＵＥは、パケットを第１のＵＥからの基地局に向けられた中継アップリンクトラフィックとして識別するために、ＰＣ５インターフェースプロトコルスタックにおいてパケットのヘッダを変更することができる。たとえば、図５Ａを参照すると、リモートＵＥ５０２のＰＤＣＰサブレイヤ５１８は、第１のパケットをリモートＵＥ５０２からの基地局に向けられた中継アップリンクトラフィックとして識別するために、第１のパケットのヘッダを変更し得る。たとえば、ヘッダは、ｅＮＢ５０６が、第１のパケットをリモートＵＥ５０２から発信するものとして識別する際に使用し得るシステムアーキテクチャエボリューション（ＳＡＥ）一時モバイル加入者識別情報（Ｓ−ＴＭＳＩ）を含むように変更され得る。さらに、変更されたヘッダは、ＰＣ５ ＰＤＣＰヘッダ（たとえば、１バイト）と、第１のパケットが中継ＵＬリンクトラフィックであることを示すための１ビットと、（たとえば、リモートＵＥ５０２がｅＮＢ５０６からのＤＬ送信を受信することができることを示す）ＤＬトラフィックのための「ハートビート」を示す情報とを含み得る。
【００６９】
[0086]ブロック１００８において、第１のＵＥは、基地局に中継するために、変更されたヘッダを含むパケットを第２のＵＥに送信することができる。たとえば、図５Ａを参照すると、変更されたヘッダを含む第１のパケットは、ＰＣ５  ５２８中のＬ１  ５２４まで転送され得る。第１のパケットは、次いで、リモートＵＥ５０２のＬ１  ５２４によって、リレーＵＥ５０４に送信され得る。一態様では、第１のパケットは、リレーＵＥ５０４中のＰＣ５  ５５２のＬ１  ５３６において受信され得る。
【００７０】
[0087]ブロック１０１０において、第１のＵＥは、基地局に向けられた発見メッセージを第２のＵＥに送信することができる。たとえば、図７を参照すると、リモートＵＥ７０２は、発見メッセージ（ＰＣ５−Ｄ）７１０をリレーＵＥ７０４に送ることができる。一態様では、ＰＣ５−Ｄ７１０は、リモートＵＥ７０２に関連するＩＭＳＩ、リモートＵＥ７０２を、リレーＵＥ７０４を介してｅＮＢ７０６と通信する他のＵＥと区別する数、アタッチ要求、および／またはＵｕリンク品質を含むことができる。
【００７１】
[0088]ブロック１０１２において、第１のＵＥは、基地局からＲＲＣ接続セットアップメッセージを受信することができる。たとえば、図７を参照すると、ｅＮＢ７０６は、ＲＲＣ接続セットアップメッセージ７１６をリモートＵＥ７０２に送ることができる。たとえば、ＲＲＣ接続メッセージは、リレーＵＥ７０４に関連するＬ２−ＩＤとリモートＵＥ７０２に関連するＣ−ＲＮＴＩとを含むことができる。
【００７２】
[0089]図１０Ｂに見られるように、ブロック１０１４において、第１のＵＥは、第２のＵＥに、基地局に向けられたＮＡＳアタッチ要求を送信することができる。たとえば、図７を参照すると、リモートＵＥ７０２は、リレーＵＥ７０４を介してＰＣ５−Ｃメッセージ７１８をｅＮＢ７０６に送ることができる。一態様では、ＰＣ５−Ｃメッセージ７１８は、ＲＲＣ接続セットアップ完了およびＮＡＳアタッチ要求（ＮＡＳ−ＡＲ）を含み得る。
【００７３】
[0090]ブロック１０１６において、第１のＵＥは、基地局からＮＡＳ認証要求を受信することができる。たとえば、図７を参照すると、ｅＮＢ７０６は、認証要求７２４をリモートＵＥ７０２に送信し得る。たとえば、認証要求７２４は、ＲＲＣ  ＤＬ情報転送およびＮＡＳ認証要求を含み得る。
【００７４】
[0091]ブロック１０１８において、第１のＵＥは、第２のＵＥに、基地局に向けられたＮＡＳ認証応答を送信することができる。たとえば、図７を参照すると、リモートＵＥ７０２は、リレーＵＥ７０４を介してＰＣ５−Ｃ認証応答７２６をｅＮＢ７０６に送り得る。たとえば、ＰＣ５−Ｃ認証応答７２６は、ＲＲＣ  ＤＬ情報転送＋ＮＡＳ（認証応答）を含み得る。
【００７５】
[0092]ブロック１０２０において、第１のＵＥは、基地局からセキュリティモードコマンドを受信することができる。たとえば、図７を参照すると、ｅＮＢ７０６は、セキュリティコードコマンド７３２をリモートＵＥ７０２に送信し得る。たとえば、セキュリティコードコマンド７３２は、ＲＲＣ  ＤＬ情報転送＋ＮＡＳ（セキュリティモードコマンド）を含み得る。
【００７６】
[0093]ブロック１０２２において、第１のＵＥは、第２のＵＥに、基地局に向けられたセキュリティモード完了メッセージを送信することができる。たとえば、図７を参照すると、リモートＵＥ７０２は、リレーＵＥ７０４を介してセキュリティコード完了メッセージ７３４をｅＮＢ７０６に送信し得る。
【００７７】
[0094]ブロック１０２４において、第１のＵＥは、基地局からＳ−ＴＭＳＩを受信することができる。たとえば、図７を参照すると、ｅＮＢ７０６は、Ｓ−ＴＭＳＩメッセージ７４０をリモートＵＥ７０２に送信し得る。たとえば、Ｓ−ＴＭＳＩメッセージ７４０は、ＲＲＣ接続再構成＋ＮＡＳ（アタッチ受付＋デフォルトＥＰＳベアラコンテキスト要求）を含み得る。
【００７８】
[0095]図１１Ａ〜図１１Ｃは、ワイヤレス通信の方法のフローチャート１１００である。方法は、第１のＵＥ（たとえば、図５Ａ〜図５Ｃに示されたリレーＵＥ５０４、図７中のリレーＵＥ７０４、図８中のリレーＵＥ８０４、または図９中のリレーＵＥ９０４）によって実行され得る。第２のＵＥは、図５Ａ〜図５Ｃに示されたリモートＵＥ５０２、図７中のリモートＵＥ７０２、図８中のリモートＵＥ８０２、および／または図９中のリモートＵＥ９０２）を含み得る。破線で示される動作が、本開示の様々な態様のための動作を表すことを理解されたい。
【００７９】
[0096]ブロック１１０２において、第１のＵＥは、第２のＵＥから第１のＵＥのＰＣ５インターフェースプロトコルスタックにおいて第１のパケットを受信することができ、第１のパケットは、パケットを第２のＵＥからの基地局に向けられた中継アップリンクトラフィックとして識別するヘッダを含む。たとえば、図５を参照すると、第１のパケットが、リモートＵＥ５０２のＬ１  ５２４によって、リレーＵＥ５０４に送信され得る。一態様では、第１のパケットは、リレーＵＥ５０４中のＰＣ５  ５５２のＬ１  ５３６において受信され得る。
【００８０】
[0097]ブロック１１０４において、第１のＵＥは、第１のＵＥのユーザプレーンプロトコルスタックにおいて第２のパケットを受信することができ、第２のパケットは第１のＵＥから基地局に向けられる。たとえば、図５を参照すると、第２のパケットは、ＰＤＣＰサブレイヤ５４０において受信され得る。たとえば、第２のパケットは、リレーＵＥ５０４から発信し、ｅＮＢ５０６に向けられたローカルデータであり得る。
【００８１】
[0098]ブロック１１０６において、第１のＵＥは、第１のパケットを第１のＵＥのＰＣ５インターフェースプロトコルスタックから第１のＵＥのユーザプレーンプロトコルスタックに転送することができる。たとえば、図５を参照すると、第１のパケットは、次いで、ＰＣ５  ５５２のサブレイヤを通して上に受け渡され得、ＰＤＣＰサブレイヤ５３０は、第１のパケットをＵｕ５５４中のＰＤＣＰサブレイヤ５４０に転送し得る。
【００８２】
[0099]ブロック１１０８において、第１のＵＥは、組み合わせられたパケットを作るために第１のパケットと第２のパケットとを組み合わせることができる。たとえば、図５を参照すると、ＰＤＣＰサブレイヤ５４０は、第１のパケットと第２のパケットの両方がｅＮＢ５０６に向けられるので、第１のパケットと第２のパケットとを組み合わせ得る。
【００８３】
[00100]ブロック１１１０において、第１のＵＥは、第１のパケットを第２のＵＥからの中継アップリンクトラフィックとして識別し、第２のパケットを第１のＵＥからのローカルデータ識別するために、ユーザプレーンプロトコルスタックにおいて、組み合わせられたパケットのヘッダを変更することができる。たとえば、図５を参照すると、ＰＤＣＰサブレイヤ５４０は、第１のパケットをリモートＵＥ５０２からの中継アップリンクトラフィックとして識別し、第２のパケットをリレーＵＥ５０４からのローカルデータ識別するために、組み合わせられたパケットのヘッダを変更し得る。たとえば、組み合わせられたパケットの変更されたヘッダは、リレーＵＥ５０４に関連するレイヤ２識別情報（Ｌ２−ＩＤ）テーブルのインデックスと、リモートＵＥ５０２に関連するＳ−ＴＭＳＩ／ＩＭＳＩテーブル（たとえば、ソースリモートＵＥ５０２のＰｒｏＳｅ  Ｌ２−ＩＤを示すためのＰｒｏＳｅ  Ｌ２−ＩＤテーブル）のインデックスとを含み得る。組み合わせられたパケットは、Ｕｕプロトコルスタック５５４中のサブレイヤを通して下に受け渡され得る。さらに、組み合わせられたパケットの変更されたヘッダは、第１のパケットがリモートＵＥ５０２から中継されていることを示す情報（たとえば、１ビット）を含み得る。
【００８４】
[00101]ブロック１１１２において、第１のＵＥは、変更されたヘッダを含む組み合わせられたパケットを基地局に送信することができる。たとえば、図５を参照すると、変更されたヘッダを含む組み合わせられたパケットは、Ｌ１レイヤ５４６からｅＮＢ５０６に送信され得る。
【００８５】
[00102]図１１Ｂに見られるように、ブロック１１１４において、第１のＵＥは、第２のＵＥから、基地局に向けられた発見メッセージを受信することができる。たとえば、図７を参照すると、リモートＵＥ７０２は、発見メッセージ（ＰＣ５−Ｄ）７１０をリレーＵＥ７０４に送ることができる。一態様では、ＰＣ５−Ｄ７１０は、リモートＵＥ７０２に関連するＩＭＳＩ、リモートＵＥ７０２を、リレーＵＥ７０４を介してｅＮＢ７０６と通信する他のＵＥと区別する数、アタッチ要求、および／またはＵｕリンク品質を含むことができる。
【００８６】
[00103]ブロック１１１６において、第１のＵＥは、発見メッセージを基地局に送信することができる。たとえば、図７を参照すると、リレーＵＥ７０４は、リレー要求７１２をｅＮＢ７０６に送ることができる。リレー要求７１２は、ＳＬＵＥＩｎｆｏメッセージであり、インデックスを含み得る。
【００８７】
[00104]ブロック１１１８において、第１のＵＥは、第２のＵＥから、基地局に向けられたＮＡＳアタッチ要求を受信することができる。たとえば、図７を参照すると、リモートＵＥ７０２は、リレーＵＥ７０４を介してＰＣ５−Ｃメッセージ７１８をｅＮＢ７０６に送ることができる。一態様では、ＰＣ５−Ｃメッセージ７１８は、ＲＲＣ接続セットアップ完了およびＮＡＳアタッチ要求（ＮＡＳ−ＡＲ）を含み得る。
【００８８】
[00105]ブロック１１２０において、第１のＵＥは、ＮＡＳアタッチ要求を基地局に送信することができる。たとえば、図７を参照すると、リモートＵＥ７０２は、リレーＵＥ７０４を介してＰＣ５−Ｃメッセージ７１８をｅＮＢ７０６に送ることができる。一態様では、ＰＣ５−Ｃメッセージ７１８は、ＲＲＣ接続セットアップ完了およびＮＡＳアタッチ要求（ＮＡＳ−ＡＲ）を含み得る。
【００８９】
[00106]ブロック１１２２において、第１のＵＥは、第２のＵＥから、基地局に向けられたＮＡＳ認証応答を受信することができる。たとえば、図７を参照すると、リモートＵＥ７０２は、リレーＵＥ７０４を介してＰＣ５−Ｃ認証応答７２６をｅＮＢ７０６に送り得る。たとえば、ＰＣ５−Ｃ認証応答７２６は、ＲＲＣ  ＤＬ情報転送＋ＮＡＳ（認証応答）を含み得る。
【００９０】
[00107]ブロック１１２４において、第１のＵＥは、ＮＡＳ認証応答を基地局に送信することができる。たとえば、図７を参照すると、リモートＵＥ７０２は、リレーＵＥ７０４を介してＰＣ５−Ｃ認証応答７２６をｅＮＢ７０６に送り得る。たとえば、ＰＣ５−Ｃ認証応答７２６は、ＲＲＣ  ＤＬ情報転送＋ＮＡＳ（認証応答）を含み得る。
【００９１】
[00108]図１１Ｃに見られるように、ブロック１１２６において、第１のＵＥは、第２のＵＥから、基地局に向けられたセキュリティモード完了メッセージを受信することができる。たとえば、図７を参照すると、リモートＵＥ７０２は、リレーＵＥ７０４を介してセキュリティコード完了メッセージ７３４をｅＮＢ７０６に送信し得る。
【００９２】
[00109]ブロック１１２８において、第１のＵＥは、セキュリティモード完了メッセージを基地局に送信することができる。たとえば、図７を参照すると、リモートＵＥ７０２は、リレーＵＥ７０４を介してセキュリティコード完了メッセージ７３４をｅＮＢ７０６に送信し得る。
【００９３】
[00110]図１２Ａ〜図１２Ｃは、ワイヤレス通信の方法のフローチャート１２００である。方法は、ｅＮＢ（たとえば、図５Ａ〜図５Ｃに示されたｅＮＢ５０６、図７中のｅＮＢ７０６、図８中のｅＮＢ８０６、または図９中のｅＮＢ９０６）または基地局によって実行され得る。第１のＵＥ（たとえば、図５Ａ〜図５Ｃに示されたリレーＵＥ５０４、図７中のリレーＵＥ７０４、図８中のリレーＵＥ８０４、または図９中のリレーＵＥ９０４）。第２のＵＥは、図５Ａ〜図５Ｃに示されたリモートＵＥ５０２、図７中のリモートＵＥ７０２、図８中のリモートＵＥ８０２、および／または図９中のリモートＵＥ９０２）を含み得る。破線で示される動作が、本開示の様々な態様のための動作を表すことを理解されたい。
【００９４】
[00111]ブロック１２０２において、ｅＮＢは、第１のＵＥからデータ送信を受信することができ、データ送信は、第１のパケットと、第２のパケットと、Ｌ２−ＩＤテーブルの第１のインデックスと、Ｓ−ＴＭＳＩテーブルの第２のインデックスとを含む、組み合わせられたパケットを含む。たとえば、図５を参照すると、変更されたヘッダを含む組み合わせられたパケットは、ｅＮＢ５０６のリレーＵｕプロトコルスタック５７２において受信され得る。組み合わせられたパケットの変更されたヘッダは、リレーＵＥ５０４に関連するレイヤ２識別情報（Ｌ２−ＩＤ）テーブルのインデックスと、リモートＵＥ５０２に関連するＳ−ＴＭＳＩ／ＩＭＳＩテーブル（たとえば、ソースリモートＵＥ５０２のＰｒｏＳｅ  Ｌ２−ＩＤを示すためのＰｒｏＳｅ  Ｌ２−ＩＤテーブル）のインデックスとを含み得る。組み合わせられたパケットは、Ｕｕプロトコルスタック５５４中のサブレイヤを通して下に受け渡され得る。さらに、組み合わせられたパケットの変更されたヘッダは、第１のパケットがリモートＵＥ５０２から中継されていることを示す情報（たとえば、１ビット）を含み得る。変更されたヘッダを含む組み合わせられたパケットは、Ｌ１レイヤ５４６からｅＮＢ５０６に送信され得る。
【００９５】
[00112]ブロック１２０４において、ｅＮＢは、Ｃ−ＲＮＴＩマッピングのためにＬ２−ＩＤテーブルの第１のインデックスを使用して第１のパケットを復号することができる。たとえば、図５を参照すると、組み合わせられたパケットは、リレーＵｕ５７２のＬ１レイヤ５５６において受信され、次いで、ＰＤＣＰサブレイヤ５６２まで受け渡され得、ここで、組み合わせられたパケットの変更されたヘッダは削除および復号され得る。ｅＮＢ５０６は、Ｃ−ＲＮＴＩマッピングのためにＳ−ＴＭＳＩ／ＩＭＳＩテーブルのインデックスを使用して第１のパケットを復号し得る。さらに、ｅＮＢ５０６は、Ｃ−ＲＮＴＩマッピングのためにＬ２−ＩＤテーブルのインデックスを使用して第２のパケットを復号し得る。たとえば、ｅＮＢ５０６は、リモートＵＥ５０２のためのＣ−ＲＮＴＩマッピングのためにＳ−ＴＭＳＩ／ＩＭＳＩを示し、第１のパケットをリモートＵｕ５７４にルーティングするために、Ｓ−ＴＭＳＩ／ＩＭＳＩのインデックスを使用し得る。代替的に、ｅＮＢ５０６は、リレーＵＥ５０４のためのＣ−ＲＮＴＩマッピングのためにＰｒｏＳｅ  Ｌ２−ＩＤのインデックスを使用し得る。一態様では、ＰｒｏＳｅ  Ｌ２−ＩＤ／関連インデックスとＳ−ＴＭＳＩ／ＩＭＳＩ／関連インデックスとは、ＳｉｄｅｌｉｎｋＵＥｉｎｆｏｒｍａｔｉｏｎメッセージ中でリレーＵＥ５０４によってｅＮＢ５０６に与えられ得る。
【００９６】
[00113]ブロック１２０６において、ｅＮＢは、Ｃ−ＲＮＴＩマッピングのためにＳ−ＴＭＳＩテーブルの第２のインデックスを使用して第２のパケットを復号することができる。たとえば、図５を参照すると、組み合わせられたパケットは、リレーＵｕ８７２のＬ１レイヤ５５６において受信され、次いで、ＰＤＣＰサブレイヤ５６２まで受け渡され得、ここで、組み合わせられたパケットの変更されたヘッダは削除および復号され得る。ｅＮＢ５０６は、Ｃ−ＲＮＴＩマッピングのためにＳ−ＴＭＳＩ／ＩＭＳＩテーブルのインデックスを使用して第１のパケットを復号し得る。さらに、ｅＮＢ５０６は、Ｃ−ＲＮＴＩマッピングのためにＬ２−ＩＤテーブルのインデックスを使用して第２のパケットを復号し得る。たとえば、ｅＮＢ５０６は、リモートＵＥ５０２のためのＣ−ＲＮＴＩマッピングのためにＳ−ＴＭＳＩ／ＩＭＳＩを示し、第１のパケットをリモートＵｕ５７４にルーティングするために、Ｓ−ＴＭＳＩ／ＩＭＳＩのインデックスを使用し得る。代替的に、ｅＮＢ５０６は、リレーＵＥ５０４のためのＣ−ＲＮＴＩマッピングのためにＰｒｏＳｅ  Ｌ２−ＩＤのインデックスを使用し得る。一態様では、ＰｒｏＳｅ  Ｌ２−ＩＤ／関連インデックスとＳ−ＴＭＳＩ／ＩＭＳＩ／関連インデックスとは、ＳｉｄｅｌｉｎｋＵＥｉｎｆｏｒｍａｔｉｏｎメッセージ中でリレーＵＥ５０４によってｅＮＢ５０６に与えられ得る。
【００９７】
[00114]ブロック１２０８において、ｅＮＢは、１つまたは複数の第１のダウンリンク送信を第１のＵＥのＵｕインターフェースプロトコルスタックに送信することができる。たとえば、図５を参照すると、ｅＮＢ５０６は、リモートＵｕ５７４を介してＤＬ送信をリモートＵＥ５０２に送ることができる。
【００９８】
[00115]ブロック１２１０において、ｅＮＢは、１つまたは複数の第２のダウンリンク送信を第２のＵＥのＵｕプロトコルスタックに送信することができる。たとえば、図５を参照すると、ｅＮＢ５０６は、リレーＵｕ５７２を介してＤＬ送信をリレーＵＥ５０４に送ることができる。
【００９９】
[00116]ブロック１２１２において、ｅＮＢは、第１のＵＥを介して第２のＵＥから発見メッセージを受信することができる。たとえば、図７を参照すると、リモートＵＥ７０２は、発見メッセージ（ＰＣ５−Ｄ）７１０をリレーＵＥ７０４に送ることができる。一態様では、ＰＣ５−Ｄ７１０は、リモートＵＥ７０２に関連するＩＭＳＩ、リモートＵＥ７０２を、リレーＵＥ７０４を介してｅＮＢ７０６と通信する他のＵＥと区別する数、アタッチ要求、および／またはＵｕリンク品質を含むことができる。
【０１００】
[00117]図１２Ｂに見られるように、ブロック１２１４において、ｅＮＢは、第２のＵＥから、基地局に向けられた発見メッセージを受信することができる。たとえば、図７を参照すると、リレーＵＥ７０４は、リレー要求７１２をｅＮＢ７０６に送ることができる。リレー要求７１２は、ＳＬＵＥＩｎｆｏメッセージであり、インデックスを含み得る。
【０１０１】
[00118]ブロック１２１６において、ｅＮＢは、ＲＲＣ接続セットアップメッセージを第２のＵＥに送信することができ、ＲＲＣ接続セットアップメッセージは、第１のＵＥと第２のＵＥとの間のリレーリンクに関連するＬ２−ＩＤまたはＣ−ＲＮＴ）のうちの少なくとも１つを含む。ｅＮＢ７０６は、ＲＲＣ再構成メッセージ７１４をリレーＵＥ７０４に送ることができる。さらに、ｅＮＢ７０６は、ＲＲＣ接続セットアップメッセージ７１６をリモートＵＥ７０２に送ることができる。たとえば、ＲＲＣ接続メッセージは、リレーＵＥ７０４に関連するＬ２−ＩＤとリモートＵＥ７０２に関連するＣ−ＲＮＴＩとを含むことができる。
【０１０２】
[00119]ブロック１２１８において、ｅＮＢは、第１のＵＥを介して第２のＵＥからＮＡＳアタッチ要求を受信することができる。たとえば、図７を参照すると、リモートＵＥ７０２は、リレーＵＥ７０４を介してＰＣ５−Ｃメッセージ７１８をｅＮＢ７０６に送ることができる。一態様では、ＰＣ５−Ｃメッセージ７１８は、ＲＲＣ接続セットアップ完了およびＮＡＳアタッチ要求（ＮＡＳ−ＡＲ）を含み得る。
【０１０３】
[00120]ブロック１２２０において、ｅＮＢは、ＮＡＳ認証要求を第２のＵＥに送信することができる。たとえば、図７を参照すると、ｅＮＢ７０６は、認証要求７２４をリモートＵＥ７０２に送信し得る。たとえば、認証要求７２４は、ＲＲＣ  ＤＬ情報転送およびＮＡＳ認証要求を含み得る。リモートＵＥ７０２は、リレーＵＥ７０４を介してＰＣ５−Ｃ認証応答７２６をｅＮＢ７０６に送り得る。たとえば、ＰＣ５−Ｃ認証応答７２６は、ＲＲＣ  ＤＬ情報転送＋ＮＡＳ（認証応答）を含み得る。
【０１０４】
[00121]ブロック１２２２において、ｅＮＢは、第１のＵＥを介して第２のＵＥからＮＡＳ認証応答を受信することができる。たとえば、図７を参照すると、リモートＵＥ７０２は、リレーＵＥ７０４を介してＰＣ５−Ｃ認証応答７２６をｅＮＢ７０６に送り得る。たとえば、ＰＣ５−Ｃ認証応答７２６は、ＲＲＣ  ＤＬ情報転送＋ＮＡＳ（認証応答）を含み得る。
【０１０５】
[00122]ブロック１２２４において、ｅＮＢは、セキュリティモードコマンドを第２のＵＥに送信することができる。たとえば、図７を参照すると、ｅＮＢ７０６は、セキュリティコードコマンド７３２をリモートＵＥ７０２に送信し得る。たとえば、セキュリティコードコマンド７３２は、ＲＲＣ  ＤＬ情報転送＋ＮＡＳ（セキュリティモードコマンド）を含み得る。
【０１０６】
[00123]図１２Ｃに見られるように、ブロック１２２６において、ｅＮＢは、第１のＵＥを介して第２のＵＥからセキュリティモード完了メッセージを受信することができる。たとえば、図７を参照すると、リモートＵＥ７０２は、リレーＵＥ７０４を介してセキュリティコード完了メッセージ７３４をｅＮＢ７０６に送信し得る。
【０１０７】
[00124]ブロック１２２８において、ｅＮＢは、Ｓ−ＴＭＳＩを第２のＵＥに送信することができる。たとえば、図７を参照すると、ｅＮＢ７０６は、Ｓ−ＴＭＳＩメッセージ７４０をリモートＵＥ７０２に送信し得る。たとえば、Ｓ−ＴＭＳＩメッセージ７４０は、ＲＲＣ接続再構成＋ＮＡＳ（アタッチ受付＋デフォルトＥＰＳベアラコンテキスト要求）を含み得る。
【０１０８】
[00125]図１３は、例示的な装置１３０２中の異なる手段／コンポーネント間のデータフローを示す概念データフロー図１３００である。装置は、リモートＵＥ５０２、リモートＵＥ７０２、リモートＵＥ８０２、および／またはリモートＵＥ９０２などのＵＥであり得る。装置１３０２は、リレーＵＥ１３５０を通して基地局１３６０と通信するように構成され得る。装置は、受信コンポーネント１３０４を使用してリレーＵＥ１３５０から信号を受信するように構成され得る。装置１３０２は、送信コンポーネント１３１０を使用して信号（たとえば、基地局１３６０に向けられた信号）をリレーＵＥ１３５０に送信するように構成され得る。
【０１０９】
[00126]装置１３０２は接続コンポーネント１３１６を含み得る。接続コンポーネントは、基地局１３６０に向けられた発見メッセージを生成するように構成され得る。発見メッセージは、アタッチ要求のインジケーションと、装置１３０２に関連するＩＭＳＩ、装置１３０２を、リレーＵＥ１３５０を介して基地局１３６０と通信する他の装置と区別する値、セルＩＤ、または装置１３０２のＬ２−ＩＤのうちの少なくとも１つとを含み得る。装置は、この発見メッセージを送信コンポーネント１３１０に与え得る。
【０１１０】
[00127]発見メッセージに基づいて、接続コンポーネント１３１６は、受信コンポーネント１３０４を通して、基地局１３６０からＲＲＣ接続セットアップメッセージに関連する応答を受信し得る。応答メッセージは、装置１３０２とリレーＵＥ１３５０との間のリレーリンクに関連するＣ−ＲＮＴＩまたはＬ２−ＩＤのうちの少なくとも１つを含み得る。
【０１１１】
[00128]接続コンポーネント１３１６は、送信コンポーネント１３１０に、基地局１３６０に向けられたＮＡＳアタッチ要求を送信させるように、さらに構成され得る。接続コンポーネント１３１６は、ＮＡＳアタッチ要求を生成するように構成され得る。
【０１１２】
[00129]アタッチ要求に基づいて、接続コンポーネント１３１０は、受信コンポーネント１３０４を通して、基地局１３６０からＮＡＳ認証要求を受信し得る。応答して、接続コンポーネント１３１６は、送信コンポーネント１３１０に、基地局１３６０のためのＮＡＳ認証応答をリレーＵＥ１３５０に送信させるように構成され得る。接続コンポーネント１３１６は、ＮＡＳ認証要求に基づいてＮＡＳ認証応答を生成し得る。
【０１１３】
[00130]接続コンポーネント１３１６は、受信コンポーネント１３０４を通して、（たとえば、ＮＡＳ認証応答に応答して）基地局１３６０からセキュリティモードコマンドを受信し得る。接続コンポーネント１３１６は、（たとえば、セキュリティモードコマンドに応答して）基地局１３６０に向けられたセキュリティモード完了メッセージを生成し得る。接続コンポーネント１３１６は、セキュリティモード完了メッセージが基地局１３６０に中継され得るように、送信コンポーネント１３１０に、セキュリティモード完了メッセージをリレーＵＥ１３５０に送信させ得る。
【０１１４】
[00131]接続コンポーネント１３１６は、受信コンポーネント１３０４を通して、基地局１３６０からＳ−ＴＭＳＩを受信し得る。接続コンポーネント１３１６は、Ｓ−ＴＩＭＳＩをヘッダコンポーネント１３１４に与え得る。
【０１１５】
[00132]態様では、装置１３０２はパケットコンポーネント１３１２をさらに含み得る。パケットコンポーネント１３１２は、装置１３０２のＵｕプロトコルスタックにおいてパケットを受信するように構成され得る（たとえば、パケットコンポーネント１３１２は、Ｕｕプロトコルスタックを含み得るかまたはそれと通信可能に結合され得る）。パケットは、基地局１３６０に向けられ得る。パケットコンポーネント１３１２は、このパケットを生成し得る。パケットコンポーネント１３１２は、パケットをＵｕプロトコルスタックから装置１３０２のＰＣ５インターフェースプロトコルスタックに転送するように構成され得る。パケットコンポーネント１３１２は、このパケットをヘッダコンポーネント１３１４に与え得る。
【０１１６】
[00133]ヘッダコンポーネント１３１４は、パケットのヘッダを変更するように構成され得る。ヘッダコンポーネント１３１４は、装置１３０２のＰＣ５インターフェースプロトコルスタック中に含まれ得るかまたはそれと通信可能に結合され得る。ヘッダコンポーネント１３１４は、パケットを装置１３０２からの基地局１３６０に向けられた中継アップリンクトラフィックとして識別するために、パケットを変更し得る。一態様では、ヘッダコンポーネント１３１４は、Ｓ−ＴＭＳＩを含むようにパケットのヘッダを変更することによって、パケットを変更し得る。ヘッダコンポーネント１３１４は、次いで、リレーＵＥ１３５０を通した基地局１３６０への送信のために、変更されたパケットを送信コンポーネント１３１０に与え得る。
【０１１７】
[00134]本装置は、図７〜図９、図１０Ａ、および図１０Ｂの上述のフローチャート中のアルゴリズムのブロックの各々を実行する追加のコンポーネントを含み得る。したがって、図７〜図９、図１０Ａ、および図１０Ｂの上述のフローチャート中の各ブロックは、１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１８】
[00135]図１４は、処理システム１４１４を採用する装置１３０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアコンポーネントと、コンポーネント１３０４、１３１０、１３１２、１３１４、１３１６と、コンピュータ可読媒体／メモリ１４０６とを含む様々な回路を互いにリンクする。バス１４２４はまた、タイミングソース、周辺機器、電圧調整器、および電力管理回路など、様々な他の回路をリンクし得るが、これらは当技術分野においてよく知られており、したがって、これ以上説明されない。
【０１１９】
[00136]処理システム１４１４はトランシーバ１４１０に結合され得る。トランシーバ１４１０は１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信された信号から情報を抽出し、抽出された情報を処理システム１４１４、特に受信コンポーネント１３０４に与える。さらに、トランシーバ１４１０は、処理システム１４１４、特に送信コンポーネント１３１０から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む一般的な処理を担当する。ソフトウェアは、プロセッサ１４０４によって実行されたとき、処理システム１４１４に、特定の装置のための上記で説明された様々な機能を実行させる。コンピュータ可読媒体／メモリ１４０６はまた、ソフトウェアを実行するときにプロセッサ１４０４によって操作されるデータを記憶するために使用され得る。処理システム１４１４は、コンポーネント１３０４、１３１０、１３１２、１３１４、１３１６のうちの少なくとも１つをさらに含む。それらのコンポーネントは、プロセッサ１４０４中で動作し、コンピュータ可読媒体／メモリ１４０６中に常駐する／記憶されたソフトウェアコンポーネントであるか、プロセッサ１４０４に結合された１つまたは複数のハードウェアコンポーネントであるか、またはそれらの何らかの組合せであり得る。処理システム１４１４は、ＵＥ３５０のコンポーネントであり得、メモリ３６０、および／またはＴＸプロセッサ３６８と、ＲＸプロセッサ３５６と、コントローラ／プロセッサ３５９とのうちの少なくとも１つを含み得る。
【０１２０】
[00137]一構成では、ワイヤレス通信のための装置１３０２／１３０２’は、第１のユーザ機器（ＵＥ）のＵｕプロトコルスタックにおいてパケットを受信するための手段を含み、パケットは基地局に向けられる。装置１３０２／１３０２’は、パケットを第１のＵＥのＵｕプロトコルスタックから第１のＵＥのＰＣ５インターフェースプロトコルスタックに転送するための手段をさらに含む。装置１３０２／１３０２’は、パケットを第１のＵＥからの基地局に向けられた中継アップリンクトラフィックとして識別するために、ＰＣ５インターフェースプロトコルスタックにおいてパケットのヘッダを変更するための手段をさらに含む。装置１３０２／１３０２’は、基地局に中継するために、変更されたヘッダを含むパケットを第２のＵＥに送信するための手段をさらに含む。
【０１２１】
[00138]一態様では、装置１３０２／１３０２’は、第２のＵＥに、基地局に向けられた発見メッセージを送信するための手段をさらに含み得、発見メッセージは、アタッチ要求のインジケーションと、第１のＵＥに関連する国際モバイル加入者識別情報（ＩＭＳＩ）、第１のＵＥを、第２のＵＥを介して基地局と通信する他のＵＥと区別する値、セルＩＤ、または第１のＵＥのレイヤ２識別情報（Ｌ２−ＩＤ）のうちの少なくとも１つとを含む。一態様では、装置１３０２／１３０２’は、基地局から無線リソース制御（ＲＲＣ）接続セットアップメッセージに関連する応答を受信するための手段をさらに含み得、応答メッセージは、第１のＵＥと第２のＵＥとの間のリレーリンクに関連するセル無線一時識別子（Ｃ−ＲＮＴＩ）またはレイヤ２識別情報（Ｌ２−ＩＤ）のうちの少なくとも１つを含む。
【０１２２】
[00139]一態様では、装置１３０２／１３０２’は、第２のＵＥに、基地局に向けられた非アクセス層（ＮＡＳ）アタッチ要求を送信するための手段をさらに含み得る。一態様では、装置１３０２／１３０２’は、基地局からＮＡＳ認証要求を受信するための手段をさらに含み得る。
【０１２３】
[00140]一態様では、装置１３０２／１３０２’は、第２のＵＥに、基地局に向けられたＮＡＳ認証応答を送信するための手段をさらに含み得る。一態様では、装置１３０２／１３０２’は、基地局からセキュリティモードコマンドを受信するための手段をさらに含み得る。
【０１２４】
[00141]一態様では、装置１３０２／１３０２’は、第２のＵＥに、基地局に向けられたセキュリティモード完了メッセージを送信するための手段をさらに含み得る。一態様では、装置１３０２／１３０２’は、基地局からシステムアーキテクチャエボリューション（ＳＡＥ）一時モバイル加入者識別情報（Ｓ−ＴＭＳＩ）を受信するための手段をさらに含み得る。一態様では、パケットのヘッダを変更するための手段は、Ｓ−ＴＭＳＩを含むようにパケットのヘッダを変更するように構成される。
【０１２５】
[00142]上述の手段は、上述の手段によって具陳された機能を実行するように構成された、装置１３０２、および／または装置１３０２’の処理システム１４１４の上述のコンポーネントのうちの１つまたは複数であり得る。上記で説明されたように、処理システム１４１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【０１２６】
[00143]図１５は、例示的な装置１５０２中の異なる手段／コンポーネント間のデータフローを示す概念データフロー図１５００である。装置１５０２は、リレーＵＥ５０４、リレーＵＥ７０４、リレーＵＥ８０４、および／またはリレーＵＥ９０４などのＵＥであり得る。装置１５０２は、リモートＵＥ１５６０および／または基地局１５５０から信号を受信するように構成された受信コンポーネント１５０４を含む。装置は、信号をリモートＵＥ１５６０および／または基地局１５５０に送信するように構成された送信コンポーネント１５１０をさらに含む。
【０１２７】
[00144]一態様では、装置１５０２は接続コンポーネント１５０８を含む。接続コンポーネント１５０８は、受信コンポーネント１５０４を通して、リモートＵＥ１５６０から、基地局１５５０に向けられた発見メッセージを受信するように構成され得る。発見メッセージは、アタッチ要求インジケーションと、リモートＵＥ１５６０に関連するＩＭＳＩ、またはリモートＵＥ１５６０を、装置１５０２を介して基地局１５５０と通信する他のＵＥと区別する値のうちの少なくとも１つとを含み得る。接続コンポーネント１５０８は、送信コンポーネント１５１０を使用した基地局１５５０への発見メッセージの送信を引き起こすように構成され得る。
【０１２８】
[00145]一態様では、接続コンポーネント１５０８は、受信コンポーネント１５０４を通して、リモートＵＥ１５６０から、基地局１５５０に向けられたＮＡＳアタッチ要求を受信するようにさらに構成され得る。接続コンポーネント１５０８は、送信コンポーネント１５１０を使用した基地局１５５０へのＮＡＳアタッチ要求の送信を引き起こすように構成され得る。
【０１２９】
[00146]一態様では、接続コンポーネント１５０８は、受信コンポーネント１５０４を通して、リモートＵＥ１５６０から、基地局１５５０に向けられたＮＡＳ認証応答を受信するようにさらに構成され得る。接続コンポーネント１５０８は、送信コンポーネント１５１０を使用してＮＡＳ認証応答を基地局１５５０に送信するように構成され得る。
【０１３０】
[00147]一態様では、受信コンポーネント１５０４は、リモートＵＥ１５６０から第１のパケットを受信するように構成され得る。受信コンポーネント１５０４は、第１のパケットを組合せコンポーネント１５１４に与え得る。第１のパケットは、第１のパケットをリモートＵＥ１５６０からの基地局１５５０に向けられた中継アップリンクトラフィックとして識別するヘッダを含み得る。組合せコンポーネント１５１４は、装置１５０２のＰＣ５インターフェースプロトコルスタックにおいて第１のパケットを受信するように構成され得る。組合せパケット１５１４は、第１のパケットを装置１５０２のＰＣ５インターフェースプロトコルスタックから装置１５０２のＵｕプロトコルスタックに転送するように構成され得る。
【０１３１】
[00148]一態様では、装置１５０２はパケットコンポーネント１５１２をさらに含み得る。パケットコンポーネント１５１２は、装置１５１２のための第２のパケットを生成し得る。第２のパケットは、装置１５０２から基地局１５５０に向けられ得る。パケットコンポーネント１５１２は、第２のパケットを組合せコンポーネント１５１４に与えるように構成され得る。
【０１３２】
[00149]組合せコンポーネント１５１４は、装置１５０２のＵｕプロトコルスタックにおいて第２のパケットを受信するように構成され得る。組合せコンポーネント１５１４は、組み合わせられたパケットを作るために第１のパケットを第２のパケットと組み合わせるように構成され得る。組合せコンポーネント１５１４は、組み合わせられたパケットをヘッダコンポーネント１５１６に与えるように構成され得る。
【０１３３】
[00150]ヘッダコンポーネント１５１６は、組み合わせられたパケットのヘッダを変更するように構成され得る。ヘッダコンポーネント１５１６は、装置１５０２のＵｕプロトコルスタックにおいてヘッダを変更し得る。ヘッダコンポーネント１５１６は、第１のパケットをリモートＵＥ１５６０からの中継アップリンクトラフィック識別し、第２のパケットを装置１５０２からのローカルデータとして識別するために、組み合わせられたパケットのヘッダを変更し得る。一態様では、ヘッダコンポーネント１５１６は、装置１５０２に関連するＬ２−ＩＤテーブルのインデックスおよび／またはリモートＵＥ１５６０に関連するＳ−ＴＭＳＩのインデックスを含むようにヘッダを変更し得る。
【０１３４】
[00151]ヘッダコンポーネント１５１６は、変更されたヘッダを有する組み合わせられたパケットを送信コンポーネント１５１０に与え得る。送信コンポーネント１５１０は、変更されたヘッダを有する組み合わせられたパケットを基地局１５５０に送信するように構成され得る。
【０１３５】
[00152]本装置は、図７〜図９、図１１Ａ、図１１Ｂ、および図１１Ｃの上述のフローチャート中のアルゴリズムのブロックの各々を実行する追加のコンポーネントを含み得る。したがって、図７〜図９、図１１Ａ、図１１Ｂ、および図１１Ｃの上述のフローチャート中の各ブロックは、１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１３６】
[00153]図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェアコンポーネントと、コンポーネント１５０４、１５０８、１５１０、１５１２、１５１４、１５１６と、コンピュータ可読媒体／メモリ１６０６とを含む様々な回路を互いにリンクする。バス１６２４はまた、タイミングソース、周辺機器、電圧調整器、および電力管理回路など、様々な他の回路をリンクし得るが、これらは当技術分野においてよく知られており、したがって、これ以上説明されない。
【０１３７】
[00154]処理システム１６１４はトランシーバ１６１０に結合され得る。トランシーバ１６１０は１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信コンポーネント１５０４に与える。さらに、トランシーバ１６１０は、処理システム１６１４、特に送信コンポーネント１５１０から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む一般的な処理を担当する。ソフトウェアは、プロセッサ１６０４によって実行されたとき、処理システム１６１４に、任意の特定の装置のための上記で説明された様々な機能を実行させる。コンピュータ可読媒体／メモリ１６０６はまた、ソフトウェアを実行するときにプロセッサ１６０４によって操作されるデータを記憶するために使用され得る。処理システム１６１４は、コンポーネント１５０４、１５０８、１５１０、１５１２、１５１４、１５１６のうちの少なくとも１つをさらに含む。それらのコンポーネントは、プロセッサ１６０４中で動作し、コンピュータ可読媒体／メモリ１６０６中に常駐する／記憶されたソフトウェアコンポーネントであるか、プロセッサ１６０４に結合された１つまたは複数のハードウェアコンポーネントであるか、またはそれらの何らかの組合せであり得る。処理システム１６１４は、ＵＥ３５０のコンポーネントであり得、メモリ３６０、および／またはＴＸプロセッサ３６８と、ＲＸプロセッサ３５６と、コントローラ／プロセッサ３５９とのうちの少なくとも１つを含み得る。
【０１３８】
[00155]一構成では、ワイヤレス通信のための装置１５０２／１５０２’は、第２のユーザ機器（ＵＥ）から第１のＵＥのＰＣ５インターフェースプロトコルスタックにおいて第１のパケットを受信するための手段を含み、第１のパケットは、第１のパケットを第２のＵＥからの基地局に向けられた中継アップリンクトラフィックとして識別するヘッダを含む。装置１５０２／１５０２’は、第１のＵＥのＵｕプロトコルスタックにおいて第２のパケットを受信するための手段をさらに含み得、第２のパケットは第１のＵＥから基地局に向けられる。装置１５０２／１５０２’は、第１のパケットを第１のＵＥのＰＣ５インターフェースプロトコルスタックから第１のＵＥのＵｕプロトコルスタックに転送するための手段をさらに含み得る。装置１５０２／１５０２’は、組み合わせられたパケットを作るために第１のパケットと第２のパケットとを組み合わせるための手段をさらに含み得る。装置１５０２／１５０２’は、第１のパケットを第２のＵＥからの中継アップリンクトラフィックとして識別し、第２のパケットを第１のＵＥからのローカルデータ識別するために、Ｕｕプロトコルスタックにおいて、組み合わせられたパケットのヘッダを変更するための手段をさらに含み得る。装置１５０２／１５０２’は、変更されたヘッダを含む組み合わせられたパケットを基地局に送信するための手段をさらに含み得る。
【０１３９】
[00156]一態様では、変更されたヘッダは、第１のＵＥに関連するレイヤ２識別情報（Ｌ２−ＩＤ）テーブルのインデックスと、第２のＵＥに関連するシステムアーキテクチャエボリューション（ＳＡＥ）一時モバイル加入者識別情報（Ｓ−ＴＭＳＩ）テーブルのインデックスとを含む。
【０１４０】
[00157]一態様では、装置１５０２／１５０２’は、第２のＵＥから、基地局に向けられた発見メッセージを受信するための手段をさらに含み得、発見メッセージは、アタッチ要求インジケーションと、第２のＵＥに関連する国際モバイル加入者識別情報（ＩＭＳＩ）、または第２のＵＥを、第１のＵＥを介して基地局と通信する他のＵＥと区別する値のうちの少なくとも１つとを含む。装置１５０２／１５０２’は、発見メッセージを基地局に送信するための手段をさらに含み得る。
【０１４１】
[00158]一態様では、装置１５０２／１５０２’は、第２のＵＥから、基地局に向けられた非アクセス層（ＮＡＳ）アタッチ要求を受信するための手段をさらに含み得る。装置１５０２／１５０２’は、ＮＡＳアタッチ要求を基地局に送信するための手段をさらに含み得る。
【０１４２】
[00159]一態様では、装置１５０２／１５０２’は、第２のＵＥから、基地局に向けられたＮＡＳ認証応答を受信するための手段をさらに含み得る。装置１５０２／１５０２’は、ＮＡＳ認証応答を基地局に送信するための手段をさらに含み得る。装置１５０２／１５０２’は、第２のＵＥから、基地局に向けられたセキュリティモード完了メッセージを受信するための手段をさらに含み得る。装置１５０２／１５０２’は、セキュリティモード完了メッセージを基地局に送信するための手段をさらに含み得る。
【０１４３】
[00160]上述の手段は、上述の手段によって具陳された機能を実行するように構成された、装置１５０２、および／または装置１５０２’の処理システム１６１４の上述のコンポーネントのうちの１つまたは複数であり得る。上記で説明されたように、処理システム１６１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【０１４４】
[00161]図１７は、例示的な装置１７０２中の異なる手段／コンポーネント間のデータフローを示す概念データフロー図１７００である。装置は、ｅＮＢ５０６、ｅＮＢ７０６、ｅＮＢ８０６、および／またはｅＮＢ９０６などのｅＮＢであり得る。装置１７０２は、そのうちのいくつかがリモートＵＥ１７６０において発信し得る信号を、リレーＵＥ１７５０から受信するように構成された受信コンポーネント１７０４を含む。装置は、そのうちのいくつかがリモートＵＥ１７６０に中継され得る信号を、リレーＵＥ１７５０に送信するように構成された送信コンポーネント１７１０をさらに含む。
【０１４５】
[00162]一態様では、装置１７０２は接続コンポーネント１７１６を含み得る。接続コンポーネント１７１６は、受信コンポーネント１７０４を通して、リレーＵＥ１７５０を介してリモートＵＥ１７６０から発見メッセージを受信するように構成され得る。発見メッセージは、アタッチ要求と、リモートＵＥ１７６０に関連するＩＭＳＩ、またはリモートＵＥ１７６０を、リレーＵＥ１７５０を介して装置１７０２と通信する他のＵＥと区別する値のうちの少なくとも１つとを含み得る。
【０１４６】
[00163]接続コンポーネント１７１６は、送信コンポーネントに、リレーＵＥ１７５０を通してＲＲＣ接続セットアップメッセージをリモートＵＥ１７６０に送信させるように構成され得る。接続コンポーネント１７１６は、たとえば、アタッチ要求に応答して、ＲＲＣ接続セットアップメッセージを生成し得る。一態様では、接続セットアップメッセージは、リモートＵＥ１７６０とリレーＵＥ１７５０との間のリレーリンクに関連するＬ２−ＩＤまたはＣ−ＲＮＴＩのうちの少なくとも１つを含み得る。
【０１４７】
[00164]接続コンポーネント１７１６は、受信コンポーネント１７０４を通して、リレーＵＥ１７５０を介してリモートＵＥ１７６０からＮＡＳアタッチ要求を受信するように構成され得る。接続コンポーネント１７１６は、ＮＡＳアタッチ要求に基づいてＮＡＳ認証要求を生成するように構成され得る。接続コンポーネント１７１６は、送信コンポーネント１７１０を通した、リレーＵＥ１７５０を介したリモートＵＥ１７６０へのＮＡＳ認証要求の送信を引き起こすように構成され得る。
【０１４８】
[00165]接続コンポーネント１７１６は、受信コンポーネント１７０４を通して、リレーＵＥ１７５０を介してリモートＵＥ１７６０からＮＡＳ認証応答を受信するように構成され得る。接続コンポーネント１７１６は、ＮＡＳ認証応答に基づいてリモートＵＥ１７６０のためのセキュリティモードコマンドを決定するように構成され得る。接続コンポーネント１７１６は、送信コンポーネント１７１０を通した、リレーＵＥ１７５０を通したリモートＵＥ１７６０へのセキュリティモードコマンドの送信を引き起こすように構成され得る。
【０１４９】
[00166]接続コンポーネント１７１６は、受信コンポーネント１７０４を通して、リレーＵＥ１７５０を介してリモートＵＥ１７６０からセキュリティモード完了メッセージを受信するように構成され得る。接続コンポーネント１７１６は、セキュリティモード完了メッセージに基づいてリモートＵＥ１７６０のためのＳ−ＴＭＳＩを決定するように構成され得る。接続コンポーネント１７１６は、送信コンポーネント１７１０を通した、リレーＵＥ１７５０を通したリモートＵＥ１７６０へのＳ−ＴＭＳＩの送信を引き起こすように構成され得る。
【０１５０】
[00167]一態様では、装置１７０２は、受信コンポーネント１７０４を通してデータ送信を受信し得る。データ送信は、リレーＵＥ１７５０に関連する第１のパケットと、リモートＵＥ１７６０からの第２のパケットと、リレーＵＥ１７５０に関連するＬ２−ＩＤテーブルの第１のインデックスと、リモートＵＥ１７６０に関連するＳ−ＴＭＳＩテーブルの第２のインデックスとを含み得る。一態様では、データ送信からの第１のパケットは、リレーインターフェースコンポーネント１７１４に与えられ得る。一態様では、データ送信からの第２のパケットは、リモートインターフェースコンポーネント１７１２に与えられ得る。
【０１５１】
[00168]リレーインターフェースコンポーネント１７１４は、Ｃ−ＲＮＴＩマッピングのためにＬ２−ＩＤテーブルの第１のインデックスを使用して第１のパケットを復号するように構成され得る。リレーインターフェースプロトコルコンポーネント１７１４は、リモートＵＥ１７６０のための１つまたは複数の第１のダウンリンク送信を決定するようにさらに構成され得る。リレーインターフェースプロトコルコンポーネント１７１４は、送信コンポーネント１７１０を通した、リレーＵＥ１７５０のＵｕインターフェースプロトコルスタックへの１つまたは複数の第１のダウンリンク送信の送信を引き起こすように構成され得る。
【０１５２】
[00169]リモートインターフェースコンポーネント１７１２は、Ｃ−ＲＮＴＩマッピングのためにＳ−ＴＭＳＩテーブルの第２のインデックスを使用して第２のパケットを復号するように構成され得る。リモートインターフェースプロトコルコンポーネント１７１２は、リモートＵＥ１７６０のための１つまたは複数の第２のダウンリンク送信を決定するようにさらに構成され得る。リモートインターフェースプロトコルコンポーネント１７１２は、送信コンポーネント１７１０を通した、リモートＵＥ１７６０のＵｕインターフェースプロトコルスタックへの１つまたは複数の第２のダウンリンク送信の送信を引き起こすように構成され得る。
【０１５３】
[00170]本装置は、図７〜図９、図１２Ａ、図１２Ｂ、および図１２Ｃの上述のフローチャート中のアルゴリズムのブロックの各々を実行する追加のコンポーネントを含み得る。したがって、図７〜図９、図１２Ａ、図１２Ｂ、および図１２Ｃの上述のフローチャート中の各ブロックは、１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１５４】
[00171]図１８は、処理システム１８１４を採用する装置１７０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェアコンポーネントと、コンポーネント１７０４、１７１０、１７１２、１７１４、１７１６と、コンピュータ可読媒体／メモリ１８０６とを含む様々な回路を互いにリンクする。バス１８２４はまた、タイミングソース、周辺機器、電圧調整器、および電力管理回路など、様々な他の回路をリンクし得るが、これらは当技術分野においてよく知られており、したがって、これ以上説明されない。
【０１５５】
[00172]処理システム１８１４はトランシーバ１８１０に結合され得る。トランシーバ１８１０は１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信コンポーネント１３０４に与える。さらに、トランシーバ１８１０は、処理システム１８１４、特に送信コンポーネント１３１０から情報を受信し、受信された情報に基づいて、１つまたは複数のアンテナ１８２０に適用されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、任意の特定の装置のための上記で説明された様々な機能を実行させる。コンピュータ可読媒体／メモリ１８０６はまた、ソフトウェアを実行するときにプロセッサ１８０４によって操作されるデータを記憶するために使用され得る。処理システム１８１４は、コンポーネント１７０４、１７１０、１７１２、１７１４、１７１６のうちの少なくとも１つをさらに含む。それらのコンポーネントは、プロセッサ１８０４中で動作し、コンピュータ可読媒体／メモリ１８０６中に常駐する／記憶されたソフトウェアコンポーネントであるか、プロセッサ１８０４に結合された１つまたは複数のハードウェアコンポーネントであるか、またはそれらの何らかの組合せであり得る。処理システム１８１４は、ｅＮＢ３１０のコンポーネントであり得、メモリ３７６、および／またはＴＸプロセッサ３１６と、ＲＸプロセッサ３７０と、コントローラ／プロセッサ３７５とのうちの少なくとも１つを含み得る。
【０１５６】
[00173]一構成では、ワイヤレス通信のための装置１７０２／１７０２’は、第１のＵＥからデータ送信を受信するための手段を含み、データ送信は、第１のＵＥに関連する第１のパケットと、第２のＵＥからの第２のパケットと、第１のＵＥに関連するレイヤ２識別情報（Ｌ２−ＩＤ）テーブルの第１のインデックスと、第２のＵＥに関連するシステムアーキテクチャエボリューション（ＳＡＥ）一時モバイル加入者識別情報（Ｓ−ＴＭＳＩ）テーブルの第２のインデックスとを含む、組み合わせられたパケットを含む。装置１７０２／１７０２’は、セル比一時識別子（Ｃ−ＲＮＴＩ）マッピングのためにＬ２−ＩＤテーブルの第１のインデックスを使用して第１のパケットを復号するための手段をさらに含む。装置１７０２／１７０２’は、Ｃ−ＲＮＴＩマッピングのためにＳ−ＴＭＳＩテーブルの第２のインデックスを使用して第２のパケットを復号するための手段をさらに含む。
【０１５７】
[00174]一態様では、装置１７０２／１７０２’は、１つまたは複数の第１のダウンリンク送信を第１のＵＥのＵｕプロトコルスタックに送信するための手段をさらに含み得る。一態様では、装置１７０２／１７０２’は、１つまたは複数の第２のダウンリンク送信を第２のＵＥのＵｕプロトコルスタックに送信するための手段をさらに含み得る。
【０１５８】
[00175]一態様では、装置１７０２／１７０２’は、第１のＵＥを介して第２のＵＥから発見メッセージを受信するための手段をさらに含み得、発見メッセージは、アタッチ要求と、第２のＵＥに関連する国際モバイル加入者識別情報（ＩＭＳＩ）、または第２のＵＥを、第１のＵＥを介して基地局と通信する他のＵＥと区別する値のうちの少なくとも１つとを含む。一態様では、装置１７０２／１７０２’は、無線リソース制御（ＲＲＣ）接続セットアップメッセージを第２のＵＥに送信するための手段をさらに含み得、ＲＲＣ接続セットアップメッセージは、第１のＵＥと第２のＵＥとの間のリレーリンクに関連するレイヤ２識別情報（Ｌ２−ＩＤ）またはセル比一時識別子（Ｃ−ＲＮＴＩ）のうちの少なくとも１つを含む。
【０１５９】
[00176]一態様では、装置１７０２／１７０２’は、第１のＵＥを介して第２のＵＥから非アクセス層（ＮＡＳ）アタッチ要求を受信するための手段をさらに含み得る。一態様では、装置１７０２／１７０２’は、ＮＡＳ認証要求を第２のＵＥに送信するための手段をさらに含み得る。
【０１６０】
[00177]一態様では、装置１７０２／１７０２’は、第１のＵＥを介して第２のＵＥからＮＡＳ認証応答を受信するための手段をさらに含み得る。一態様では、装置１７０２／１７０２’は、セキュリティモードコマンドを第２のＵＥに送信するための手段をさらに含み得る。一態様では、装置１７０２／１７０２’は、第１のＵＥを介して第２のＵＥからセキュリティモード完了メッセージを受信するための手段をさらに含み得る。一態様では、装置１７０２／１７０２’は、システムアーキテクチャエボリューション（ＳＡＥ）一時モバイル加入者識別情報（Ｓ−ＴＭＳＩ）を第２のＵＥに送信するための手段をさらに含み得る。
【０１６１】
[00178]上述の手段は、上述の手段によって具陳された機能を実行するように構成された、装置１７０２、および／または装置１７０２’の処理システム１８１４の上述のコンポーネントのうちの１つまたは複数であり得る。上記で説明されたように、処理システム１８１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成された、ＴＸプロセッサ３１６と、ＲＸプロセッサ３７０と、コントローラ／プロセッサ３７５とであり得る。
【０１６２】
[00179]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１６３】
[00180]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2018534854.tif 000003
【図２Ａ】
2018534854.tif 000004
【図２Ｂ】
2018534854.tif 000005
【図２Ｃ】
2018534854.tif 000006
【図２Ｄ】
2018534854.tif 000007
【図３】
2018534854.tif 000008
【図４】
2018534854.tif 000009
【図５Ａ】
2018534854.tif 000010
【図５Ｂ】
2018534854.tif 000011
【図５Ｃ】
2018534854.tif 000012
【図６】
2018534854.tif 000013
【図７】
2018534854.tif 000014
【図８】
2018534854.tif 000015
【図９】
2018534854.tif 000016
【図１０Ａ】
2018534854.tif 000017
【図１０Ｂ】
2018534854.tif 000018
【図１１Ａ】
2018534854.tif 000019
【図１１Ｂ】
2018534854.tif 000020
【図１１Ｃ】
2018534854.tif 000021
【図１２Ａ】
2018534854.tif 000022
【図１２Ｂ】
2018534854.tif 000023
【図１２Ｃ】
2018534854.tif 000024
【図１３】
2018534854.tif 000025
【図１４】
2018534854.tif 000026
【図１５】
2018534854.tif 000027
【図１６】
2018534854.tif 000028
【図１７】
2018534854.tif 000029
【図１８】
2018534854.tif 000030
【国際調査報告】
2018534854.tif 000031
2018534854.tif 000032
2018534854.tif 000033